(57)【特許請求の範囲】
【請求項１】
ワイヤレス通信ネットワークにおける通信の方法であって、
ユーザ機器（ＵＥ）によって、受信されたサブフレームにおいて発見基準信号（ＤＲＳ）を受信することと、ここにおいて、前記ＤＲＳの送信されたサブフレームが知られていない、
前記ＤＲＳが発見ウィンドウの第１の部分中で送信されたのか、前記発見ウィンドウの第２の部分中で送信されたのか、前記発見ウィンドウの外部で送信されたのかを決定することを備える、ＤＲＳ測定タイミング構成によって定義される、前記発見ウィンドウに関する前記受信されたサブフレームの相対位置を決定することと、
前記発見ウィンドウに関する前記受信されたサブフレームの前記相対位置に基づいて、複数のスクランブリングシーケンスから前記受信されたＤＲＳをデスクランブルするためのスクランブリングシーケンスを選択することと
を備える、方法。
【請求項２】
前記発見ウィンドウに関する前記受信されたサブフレームの前記相対位置を決定することは、
前記ＤＲＳの相対位置が、前記発見ウィンドウ内のサブフレーム０、１、２、３、または４のうちのいずれかを備えると決定すること
を備え、
ここにおいて、前記スクランブリングシーケンスを選択することが、サブフレーム０に対応する前記複数のスクランブリングシーケンスのうちの１つを選択することを備える、請求項１に記載の方法。
【請求項３】
前記発見ウィンドウに関する前記受信されたサブフレームの前記相対位置を決定することは、
前記ＤＲＳの相対位置が、前記発見ウィンドウ内のサブフレーム５、６、７、８、または９のうちのいずれかを備えると決定すること
を備え、
ここにおいて、前記スクランブリングシーケンスを選択することが、サブフレーム５に対応する前記複数のスクランブリングシーケンスのうちの１つを選択することを備える、請求項１に記載の方法。
【請求項４】
ワイヤレス通信ネットワークにおける通信の方法であって、
ユーザ機器（ＵＥ）によって、受信されたサブフレームにおいてセル固有基準信号（ＣＲＳ）を受信することと、ここにおいて、前記ＣＲＳの送信されたサブフレームが知られていない、
前記受信されたサブフレームが発見ウィンドウの第１の部分中で送信されたのか、前記発見ウィンドウの第２の部分中で送信されたのか、前記発見ウィンドウの外部で送信されたのかを決定することを備える、発見基準信号測定タイミング構成によって定義される、前記発見ウィンドウに関する前記受信されたサブフレームの相対位置を決定することと、
前記発見ウィンドウに関する前記受信されたサブフレームの前記相対位置に基づいて、チャネル状態情報（ＣＳＩ）リソースの存在を決定することと
を備える、方法。
【請求項５】
前記ＣＳＩリソースが、
ＣＳＩ基準信号（ＣＳＩ−ＲＳ）情報、または
ＣＳＩ干渉管理（ＣＳＩ−ＩＭ）情報
のうちの少なくとも１つを含む、請求項４に記載の方法。
【請求項６】
前記受信されたサブフレームの前記相対位置を決定することは、前記受信されたサブフレームが前記発見ウィンドウの内部にあると決定することを備え、前記方法は、
前記受信されたサブフレームが発見基準信号（ＤＲＳ）サブフレームを備えるかどうかを決定すること、ここにおいて、ＣＳＩリソースの前記存在を決定することは、前記受信されたサブフレームが前記ＤＲＳサブフレームを備えるかどうかにさらに基づく、
をさらに備える、請求項５に記載の方法。
【請求項７】
周期ＣＱＩ要求および非周期ＣＱＩ要求の報告およびＣＳＩ処理のためのタイミング緩和を受信することをさらに備える、請求項６に記載の方法。
【請求項８】
ＰＵＳＣＨリソースまたはＰＵＣＣＨリソースのうちの少なくとも１つが、前記ＤＲＳ中に存在する前記ＣＳＩリソースのＣＳＩ処理に基づいて、前記ＣＳＩリソースを報告するための前記タイミング緩和を用いて構成された、請求項７に記載の方法。
【請求項９】
ワイヤレス通信ネットワークにおける通信のための装置であって、
受信されたサブフレームにおいて発見基準信号（ＤＲＳ）を受信するための手段と、ここにおいて、前記ＤＲＳの送信されたサブフレームが知られていない、
前記ＤＲＳが発見ウィンドウの第１の部分中で送信されたのか、前記発見ウィンドウの第２の部分中で送信されたのか、前記発見ウィンドウの外部で送信されたのかを決定するための手段を備える、ＤＲＳ測定タイミング構成によって定義される、前記発見ウィンドウに関する前記受信されたサブフレームの相対位置を決定するための手段と、
前記発見ウィンドウに関する前記受信されたサブフレームの前記相対位置に基づいて、複数のスクランブリングシーケンスから前記受信されたＤＲＳをデスクランブルするためのスクランブリングシーケンスを選択するための手段と
を備える、装置。
【請求項１０】
前記発見ウィンドウに関する前記受信されたサブフレームの前記相対位置を決定するために、前記受信されたサブフレームの相対位置を決定するための前記手段は、
前記ＤＲＳの相対位置が、前記発見ウィンドウ内のサブフレーム０、１、２、３、または４のうちのいずれかを備えると決定すること
を行うようにさらに構成され、
ここにおいて、前記スクランブリングシーケンスを選択するために、スクランブリングシーケンスを選択するための前記手段が、サブフレーム０に対応する前記複数のスクランブリングシーケンスのうちの１つを選択するようにさらに構成された、
請求項９に記載の装置。
【請求項１１】
前記発見ウィンドウに関する前記受信されたサブフレームの前記相対位置を決定するために、前記受信されたサブフレームの相対位置を決定するための前記手段は、
前記ＤＲＳの相対位置が、前記発見ウィンドウ内のサブフレーム５、６、７、８、または９のうちのいずれかを備えると決定すること
を行うようにさらに構成され、
ここにおいて、前記スクランブリングシーケンスを選択するために、スクランブリングシーケンスを選択するための前記手段が、サブフレーム５に対応する前記複数のスクランブリングシーケンスのうちの１つを選択するようにさらに構成された、
請求項９に記載の装置。
【請求項１２】
ワイヤレス通信ネットワークにおける通信のための装置であって、前記方法は、
受信されたサブフレームにおいてセル固有基準信号（ＣＲＳ）を受信するための手段と、ここにおいて、前記ＣＲＳの送信されたサブフレームが知られていない、
前記受信されたサブフレームが発見ウィンドウの第１の部分中で送信されたのか、前記発見ウィンドウの第２の部分中で送信されたのか、前記発見ウィンドウの外部で送信されたのかを決定するための手段を備える、発見基準信号測定タイミング構成によって定義される、前記発見ウィンドウに関する前記受信されたサブフレームの相対位置を決定するための手段と、
前記発見ウィンドウに関する前記受信されたサブフレームの前記相対位置に基づいて、チャネル状態情報（ＣＳＩ）リソースの存在を決定するための手段と
を備える、装置。
【請求項１３】
前記ＣＳＩリソースが、
ＣＳＩ基準信号（ＣＳＩ−ＲＳ）情報、または
ＣＳＩ干渉管理（ＣＳＩ−ＩＭ）情報
のうちの少なくとも１つを含む、請求項１２に記載の装置。
【請求項１４】
前記受信されたサブフレームの前記相対位置を決定するために、前記プロセッサは、前記受信されたサブフレームが前記発見ウィンドウの内部にあると決定するようにさらに構成され、ここにおいて、前記プロセッサは、
前記受信されたサブフレームが発見基準信号（ＤＲＳ）サブフレームを備えるかどうかを決定すること、ここにおいて、ＣＳＩリソースの前記存在を決定することは、前記受信されたサブフレームが前記ＤＲＳサブフレームを備えるかどうかにさらに基づく、
を行うようにさらに構成された、請求項１３に記載の装置。
【請求項１５】
コンピュータ上で実行されたとき、前記コンピュータに、請求項１〜８のいずれか一項に記載の方法を実行させるコードを備えるコンピュータプログラム。
【発明の詳細な説明】
【技術分野】
【０００１】
関連出願の相互参照
[0001]本特許出願は、本出願の譲受人に譲渡され、参照により本明細書に明確に組み込まれる、２０１６年９月２０日に出願された「DISCOVERY REFERENCE SIGNAL CONFIGURATION AND SCRAMBLING IN LICENSED-ASSISTED ACCESS」と題する米国非仮出願第１５／２７０，７２０号、および２０１５年１１月６日に出願された「DISCOVERY REFERENCE SIGNAL CONFIGURATION AND SCRAMBLING IN LICENSED-ASSISTED ACCESS」と題する米国仮出願第６２／２５２，２７１号の優先権を主張する。
【背景技術】
【０００２】
[0002]本開示の態様は、一般に電気通信に関し、より詳細には、無認可スペクトルにおける発見信号を構成し、スクランブルするための技法に関する。
【０００３】
[0003]ワイヤレス通信ネットワークは、ネットワークのカバレージエリア内のユーザに様々なタイプのサービス（たとえば、音声、データ、マルチメディアサービスなど）を提供するために展開され得る。いくつかの実装形態では、（たとえば、異なるセルに対応する）１つまたは複数のアクセスポイントは、（１つまたは複数の）アクセスポイントのカバレージ内で動作しているアクセス端末（たとえば、セルフォン）にワイヤレス接続性を提供する。いくつかの実装形態では、ピアデバイスが、互いと通信するためにワイヤレス接続性を提供する。
【０００４】
[0004]いくつかの通信モードは、セルラーネットワークの無認可無線周波数スペクトル帯域上での、または異なる無線周波数スペクトル帯域（たとえば、認可無線周波数スペクトル帯域および／または無認可無線周波数スペクトル帯域）上での基地局とユーザ機器（ＵＥ）との間の通信を可能にし得る。認可無線周波数スペクトル帯域を使用するセルラーネットワークにおけるデータトラフィックの増加とともに、少なくとも一部のデータトラフィックの、無認可無線周波数スペクトル帯域へのオフローディングは、セルラー事業者に拡張データ送信容量のための機会を与え得る。無認可無線周波数スペクトル帯域はまた、認可無線周波数スペクトル帯域へのアクセスが利用不可能であるエリア中でサービスを与え得る。
【０００５】
[0005]いくつかのワイヤレスネットワークでは、いくつかの基準信号のタイミングは、変動するかまたは場合によってはＵＥに事前に知られていないことがある。たとえば、認可支援アクセス（ＬＡＡ：licensed-assisted access）２次セル（ＳＣｅｌｌ）を用いて構成されたＵＥに関して、ＳＣｅｌｌのタイミングが、キャリアアグリゲーション（ＣＡ）フレームワークを通して、対応する１次セル（ＰＣｅｌｌ）のタイミングから導出され得る。したがって、サービングＳＣｅｌｌに関して、各サブフレーム中で使用されるスクランブリングシーケンスが、この関係を使用して決定され得る。対照的に、ＵＥが、たとえば、サービングパブリックランドモバイルネットワーク（ＰＬＭＮ）またはネイバリングＰＬＭＮに属する、他のＬＡＡセルを検出するために、ネイバーセル測定を実行するとき、そのようなセルのタイミングは、ＵＥによって知られないことがある。
【０００６】
[0006]したがって、この事例では、ＵＥは、発見ウィンドウ中に、基準信号をリッスンし得る。しかしながら、これらの基準信号は、発見ウィンドウ内の可変位置において受信され得る。そのような基準信号のスクランブリングが特定のタイミングに基づき得るので、ＵＥは、受信された基準信号を送信する際に使用されるスクランブリングシーケンスのための異なる仮説を処理するのに莫大なリソースを消費し得る。したがって、無認可スペクトルの増大する使用を考慮すれば、基準信号送信および受信における改善が望まれ得る。
【発明の概要】
【０００７】
[0007]以下は、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後に提示されるより詳細な説明の導入として、１つまたは複数の態様のいくつかの概念を簡略化された形で提示することである。
【０００８】
[0008]本開示は、無認可スペクトル中のリソースにアクセスするための認可支援アクセス（ＬＡＡ）を使用して、ユーザ機器（ＵＥ）によって発見基準信号（ＤＲＳ：discovery reference signal）を検出し、デスクランブルするための技法について説明する。ＵＥは、無認可スペクトルのためのセル選択のようなプロセスに関連してネイバーセル測定を実行するために、検出され、デスクランブルされたＤＲＳを使用し得る。無認可スペクトルまたは共有スペクトルは、少なくともいくつかのデバイスによって、競合ベース手法を通してアクセスがそれの中で達成されるスペクトルを指すことがある。
【０００９】
[0009]一態様によれば、ワイヤレス通信ネットワークにおける通信の本方法が提供される。説明される態様は、ユーザ機器（ＵＥ）によって、受信されたサブフレームにおいて発見基準信号（ＤＲＳ）を受信することを含む。さらに、ＤＲＳの送信されたサブフレームが知られていない。説明される態様は、発見ウィンドウに関する受信されたサブフレームの相対位置を決定することを含む。さらに、説明される態様は、発見ウィンドウに関する受信されたサブフレームの相対位置に基づいて、複数のスクランブリングシーケンスからスクランブリングシーケンスを選択することを含む。
【００１０】
[0010]一態様によれば、ワイヤレス通信ネットワークにおける通信のための本装置は、メモリ構成要素と、受信されたサブフレームにおいて発見基準信号（ＤＲＳ）を受信するように構成されたトランシーバと、トランシーバおよびメモリ構成要素に結合されたプロセッサとを含む。さらに、ＤＲＳの送信されたサブフレームが知られていない。さらに、プロセッサは、発見ウィンドウに関する受信されたサブフレームの相対位置を決定することと、発見ウィンドウに関する受信されたサブフレームの相対位置に基づいて、複数のスクランブリングシーケンスからスクランブリングシーケンスを選択することとを行うように構成される。
【００１１】
[0011]一態様によれば、本コンピュータ可読媒体は、ワイヤレス通信システムにおける通信のためのコンピュータ実行可能コードを記憶し得る。説明される態様は、ユーザ機器（ＵＥ）によって、受信されたサブフレームにおいて発見基準信号（ＤＲＳ）を受信するためのコードを含む。さらに、ＤＲＳの送信されたサブフレームが知られていない。説明される態様は、発見ウィンドウに関する受信されたサブフレームの相対位置を決定するためのコードを含む。さらに、説明される態様は、発見ウィンドウに関する受信されたサブフレームの相対位置に基づいて、複数のスクランブリングシーケンスからスクランブリングシーケンスを選択するためのコードを含む。
【００１２】
[0012]一態様によれば、ワイヤレス通信システムにおける通信のための本装置が提供される。説明される態様は、ユーザ機器（ＵＥ）によって、受信されたサブフレームにおいて発見基準信号（ＤＲＳ）を受信するための手段を含む。さらに、ＤＲＳの送信されたサブフレームが知られていない。説明される態様は、発見ウィンドウに関する受信されたサブフレームの相対位置を決定するための手段を含む。さらに、説明される態様は、発見ウィンドウに関する受信されたサブフレームの相対位置に基づいて、複数のスクランブリングシーケンスからスクランブリングシーケンスを選択するための手段を含む。
【００１３】
[0013]一態様によれば、ワイヤレス通信ネットワークにおける通信の本方法が提供される。説明される態様は、ユーザ機器（ＵＥ）によって、受信されたサブフレームにおいてセル固有基準信号（ＣＲＳ：cell-specific reference signal）を受信することを含む。ＣＲＳの送信されたサブフレームが知られていない。説明される態様は、発見ウィンドウに関する受信されたサブフレームの相対位置を決定することをさらに含む。さらに、説明される態様は、発見ウィンドウに関する受信されたサブフレームの相対位置に基づいて、チャネル状態情報（ＣＳＩ：channel state information）リソースの存在を決定することを含む。
【００１４】
[0014]一態様によれば、ワイヤレス通信ネットワークにおける通信のための装置は、メモリ構成要素と、受信されたサブフレームにおいてセル固有基準信号（ＣＲＳ）を受信するように構成されたトランシーバと、トランシーバおよびメモリ構成要素に結合されたプロセッサとを含む。ＣＲＳの送信されたサブフレームが知られていない。さらに、プロセッサは、発見ウィンドウに関する受信されたサブフレームの相対位置を決定することと、発見ウィンドウに関する受信されたサブフレームの相対位置に基づいて、チャネル状態情報（ＣＳＩ）リソースの存在を決定することとを行うように構成される。
【００１５】
[0015]一態様によれば、本コンピュータ可読媒体は、ワイヤレス通信システムにおける通信のためのコンピュータ実行可能コードを記憶し得る。説明される態様は、ユーザ機器（ＵＥ）によって、受信されたサブフレームにおいてセル固有基準信号（ＣＲＳ）を受信するためのコードを含む。さらに、ＣＲＳの送信されたサブフレームが知られていない。説明される態様は、発見ウィンドウに関する受信されたサブフレームの相対位置を決定するためのコードを含む。さらに、説明される態様は、発見ウィンドウに関する受信されたサブフレームの相対位置に基づいて、チャネル状態情報（ＣＳＩ）リソースの存在を決定するためのコードを含む。
【００１６】
[0016]一態様によれば、ワイヤレス通信システムにおける通信のための本装置が提供される。説明される態様は、ユーザ機器（ＵＥ）によって、受信されたサブフレームにおいてセル固有基準信号（ＣＲＳ）を受信するための手段を含む。さらに、ＣＲＳの送信されたサブフレームが知られていない。説明される態様は、発見ウィンドウに関する受信されたサブフレームの相対位置を決定するための手段を含む。さらに、説明される態様は、発見ウィンドウに関する受信されたサブフレームの相対位置に基づいて、チャネル状態情報（ＣＳＩ）リソースの存在を決定するための手段を含む。
【００１７】
[0017]本開示の様々な態様および特徴が、添付の図面に示されているそれらの様々な例を参照しながら以下でさらに詳細に説明される。本開示が様々な例を参照しながら以下で説明されるが、本開示はそれに制限されないことを理解されたい。本明細書の教示へのアクセスを有する当業者は、追加の実装形態、変更形態、および例、ならびに本明細書で説明される本開示の範囲内に入り、それに関して本開示が著しく有用であり得る他の使用分野を認識されよう。
【００１８】
[0018]本発明の性質および利点のさらなる理解は、以下の図面を参照することによって実現され得る。添付の図では、同様の構成要素または特徴は同じ参照ラベルを有し得る。さらに、同じタイプの様々な構成要素は、参照ラベルの後に、それらの同様の構成要素同士を区別する第２のラベルを続けることによって区別され得る。本明細書において第１の参照ラベルが使用される場合、説明は、第２の参照ラベルにかかわらず、同じ第１の参照ラベルを有する同様の構成要素のうちのいずれにも適用可能である。
【図面の簡単な説明】
【００１９】
【図１】[0019]本態様による、コロケートされた無線機を含む１つまたは複数のエンティティを採用する例示的なワイヤレス通信システムを示すブロック図。
【図２】[0020]本態様による、アクセスネットワーク中の発展型ノードＢおよびユーザ機器の一例を示す図。
【図３Ａ】[0021]本態様による、ＬＴＥ（登録商標）において使用されるダウンリンクフレーム構造を示す図。
【図３Ｂ】[0022]本態様による、ＬＴＥにおけるダウンリンクフレーム構造の別の例を示す図。
【図４】[0023]ワイヤレス通信中に物理レイヤ基準信号を送信および受信することの一態様を含む通信ネットワークの一例を示す概略図。
【図５】[0024]本態様による、ワイヤレス通信中に物理レイヤ基準信号を受信する例示的な方法を示す流れ図。
【図６】[0025]本態様による、ワイヤレス通信中に物理レイヤ基準信号を受信する別の例示的な方法を示す流れ図。
【図７】[0026]本態様による、ＵＥとネットワークエンティティとの間の発見基準信号の送信の一例を示す概念図。
【図８】[0027]本態様による、ワイヤレス通信システムの簡略図。
【図９】[0028]本態様による、通信ノード中で採用され得る例示的な構成要素の簡略ブロック図。
【図１０】[0029]本態様による、フレーム識別構成要素を含む、例示的な装置中の異なる手段／構成要素間のデータフローを示す概念データフロー図。
【図１１】[0030]本態様による、フレーム識別構成要素を含む、処理システムを採用する装置のためのハードウェア実装形態の一例を示す図。
【発明を実施するための形態】
【００２０】
[0031]本態様は、一般に、物理レイヤ基準信号を含む送信を送信および受信することに関する。たとえば、発見基準信号（ＤＲＳ）は、１次同期信号（ＰＳＳ）、２次同期信号（ＳＳＳ）、およびセル固有基準信号（ＣＲＳ）など、物理レイヤ信号を含み得る。ユーザ機器（ＵＥ）は、（たとえば発展型ノードＢなどの基地局の）セルを識別し、選択し、およびそれと同期するために、ＤＲＳを使用し得る。他の物理レイヤ基準信号は、限定はしないが、無線リソース管理（ＲＲＭ：radio resource management）測定および／またはチャネル推定（たとえば、チャネル品質インジケータ（ＣＱＩ：channel quality indicator））測定のためのなど、チャネル状態情報基準信号（ＣＳＩ−ＲＳ：channel state information reference signal）および／またはチャネル状態情報干渉測定（ＣＳＩ−ＩＭ：channel-state information - interference measurement）信号を含み得る。
【００２１】
[0032]ＵＥが基地局と通信し得る前に、ＵＥは、基地局（またはセル）を発見または収集する必要があり得る。ＵＥが基地局またはセルを発見した後、ＵＥは、基地局と適切に通信し、基地局からの通信を復号するために、基地局またはセルと周期的に同期する必要があり得る。一態様では、ＵＥは、サービスのための新しいセルとしてネイバーを選択すべきかどうかを決定するために、ネイバーセルによって送信される物理レイヤ基準信号を周期的にまたは非周期的に測定し得る。いくつかの例では、ネイバーセルは、同期信号など、基準信号を送信し得、ＵＥは、ネイバーセルを発見し、および／またはそれと同期するために、同期信号を受信および復号し得る。ＵＥが、無認可スペクトルまたは共有スペクトル中のセルの認可支援アクセス（ＬＡＡ）に関係する他のセルを検出するためにネイバーセル測定を実行するときなど、いくつかの現在の状況では、ネイバーセル基準信号送信のタイミング情報がＵＥに知られないことがある。したがって、基準信号を受信すると、ＵＥは、ネイバーセルと同期するためのタイミングを決定するために、受信された基準信号を処理し、ネイバーセルによる送信の受信された信号測定を実行するために、過大なリソースを使用し得る。
【００２２】
[0033]一態様では、たとえば、ＵＥは、ネットワークエンティティからＵＥに異なる時間に送信される発見基準信号（たとえば、「発見信号」または「ＤＲＳ」）を発見ウィンドウ中にリッスンし得る。一態様では、発見ウィンドウは、ＤＲＳ測定タイミング構成（ＤＭＴＣ：DRS measurement timing configuration）によって定義され得、したがって、ＤＭＴＣウィンドウと呼ばれることがある。一態様では、ＤＭＴＣウィンドウは、少なくとも１つの無線フレーム（たとえば、１０ｍｓ）を含み得る。一態様では、ネイバーセルは、発見ウィンドウの１つまたは複数の固有サブフレーム中にＤＲＳを送信し得、ＤＲＳのスクランブリングは、ＤＲＳがそれの中で送信されたそれぞれのサブフレームに固有であり得る。一態様では、ネイバーセルはまた、発見ウィンドウ外部のサブフレーム中でＤＲＳを送信し得る。その上、ＬＡＡコンテキストでは、ＤＲＳは、意図的にあるいは無認可スペクトル中で送信することに対するクリアチャネルアセスメント（ＣＣＡ）またはリッスンビフォアトーク（ＬＢＴ）制限に基づいてのいずれかで、周期的にまたは非周期的に送信され得る。したがって、ＵＥは、発見ウィンドウに関する可変タイミングにおいてＤＲＳを受信し得る。この可変タイミングは、ＵＥが送信ネイバリングセルのタイミングを知らないことがあるという事実とともに、セル検出、同期、およびネイバーセル測定に関してＵＥに問題を生じ得る。
【００２３】
[0034]したがって、いくつかの態様では、本方法および本装置は、ＵＥが無認可スペクトル中のリソースにアクセスするための認可支援アクセス（ＬＡＡ）を使用しているとき、知られていないタイミングを有するネイバーセルによってＵＥに送信された同期信号など、ＤＲＳを効率的に検出およびデスクランブルし得るＵＥを提供する。
【００２４】
[0035]さらに、他の態様では、本方法および本装置は、ＵＥが無認可スペクトル中のリソースにアクセスするための認可支援アクセス（ＬＡＡ）を使用しているとき、知られていないタイミングを有するネイバーセルによってＵＥに送信されたＣＳＩ−ＲＳおよび／またはＣＳＩ−ＩＭなど、ＤＲＳを効率的に検出およびデスクランブルし得るＵＥを提供する。
【００２５】
[0036]したがって、本方法および本装置は、ＵＥがＤＲＳを受信すると、ＵＥによって利用される処理リソースの量を低下させることによって、現在のソリューションと比較して効率的なソリューションを提供する。
【００２６】
[0037]特定の開示される態様を対象とする以下の説明および関連する図面において、本開示の態様が提供される。本開示の範囲から逸脱することなく、代替態様が考案され得る。さらに、より関連する詳細を不明瞭にしないように、本開示のよく知られている態様は詳細に説明されないことがあるか、または省略されることがある。さらに、多くの態様が、たとえば、コンピューティングデバイスの要素によって実行されるべき一連のアクションに関して説明される。本明細書で説明される様々なアクションは、特定の回路（たとえば、特定用途向け集積回路（ＡＳＩＣ））によって、１つまたは複数のプロセッサによって実行されるプログラム命令によって、あるいは両方の組合せによって実行され得ることを認識されよう。さらに、本明細書で説明されるこれらの一連のアクションは、実行時に、関連するプロセッサに本明細書で説明される機能を実行させるコンピュータ命令の対応するセットを記憶した任意の形態のコンピュータ可読記憶媒体内で全体として実施されるべきものと見なされ得る。したがって、本開示の様々な態様は、すべてが請求する主題の範囲内に入ることが企図されているいくつかの異なる形態で実施され得る。さらに、本明細書で説明される態様の各々について、任意のそのような態様の対応する形式は、本明細書では、たとえば、説明されるアクションを実行する「ように構成された論理」として説明されることがある。
【００２７】
[0038]図１は、例示的なワイヤレス通信システム１００（たとえば、通信ネットワークの一部分）のいくつかのノードを示す。アクセス端末（たとえば、アクセス端末１０２、１０４）は、基準信号識別構成要素４２０（図４）を含み得、アクセスポイント（たとえば、アクセスポイント１０６、１０８）は、対応する基準信号生成構成要素４７０（図４）を含み得る。それぞれの構成要素は、アクセス端末が無認可無線周波数スペクトル帯域中でアクセスポイントの測定を実行することを可能にするように動作するように構成される。
【００２８】
[0039]説明の目的で、本開示の様々な態様が、互いと通信する１つまたは複数のアクセス端末、アクセスポイント、およびネットワークエンティティのコンテキストにおいて説明される。ただし、本明細書の教示は、他の用語を使用して参照される他のタイプの装置または他の同様の装置に適用可能であり得ることを諒解されたい。たとえば、様々な実装形態では、アクセスポイントは、基地局、ノードＢ、ｅノードＢ、ホームノードＢ、ホームｅノードＢ、スモールセル、マクロセル、フェムトセルなどと呼ばれることがあるか、または基地局、ノードＢ、ｅノードＢ、ホームノードＢ、ホームｅノードＢ、スモールセル、マクロセル、フェムトセルなどとして実装されることがあり、アクセス端末は、ユーザ機器（ＵＥ）、移動局などと呼ばれることがあるか、またはＵＥ、移動局などとして実装されることがある。
【００２９】
[0040]システム４００中の基準信号生成構成要素４７０（図４）を含むネットワークエンティティ４０４に対応し得るアクセスポイント１０６、１０８は、システム１００のカバレージエリア内に設置され得るか、またはそれの全体にわたってローミングし得る、１つまたは複数のワイヤレス端末（たとえば、アクセス端末１０２、１０４）のために１つまたは複数のサービスへのアクセス（たとえば、ネットワーク接続性）を与え得る。たとえば、様々な時間に、アクセス端末１０２は、システム１００中のアクセスポイント１０６または何らかの他のアクセスポイントに接続し得る。同様に、アクセス端末１０４は、アクセスポイント１０８または何らかの他のアクセスポイントに接続し得る。アクセスポイント１０６、１０８のうちの１つまたは複数は、ワイドエリアネットワーク（ＷＡＮ）接続性を可能にするために、互いを含む（便宜上、ネットワークエンティティ１１０によって表される）１つまたは複数のネットワークエンティティと通信し得る。そのようなネットワークエンティティのうちの２つまたはそれ以上がコロケートされ得、および／またはそのようなネットワークエンティティのうちの２つまたはそれ以上がネットワーク全体にわたって分散され得る。
【００３０】
[0041]ネットワークエンティティは、たとえば、１つまたは複数の無線および／またはコアネットワークエンティティなど、様々な形態をとり得る。したがって、様々な実装形態では、ネットワークエンティティ１１０は、（たとえば、オペレーション、アドミニストレーション、マネージメント、およびプロビジョニングエンティティを介した）ネットワーク管理、呼制御、セッション管理、モビリティ管理、ゲートウェイ機能、インターワーキング機能、または何らかの他の好適なネットワーク機能のうちの少なくとも１つなどの機能を表し得る。いくつかの態様では、モビリティ管理は、追跡エリア、ロケーションエリア、ルーティングエリア、または何らかの他の好適な技法を使用することによってアクセス端末の現在ロケーションを追跡することと、アクセス端末のためのページングを制御することと、アクセス端末のためのアクセス制御を行うこととに関する。
【００３１】
[0042]アクセスポイント１０６（またはシステム１００中の他のデバイス）が所与のリソース上で通信するために第１の無線アクセス技術（ＲＡＴ）を使用するとき、この通信は、そのリソース上で通信するために第２のＲＡＴを使用する近くのデバイス（たとえば、アクセスポイント１０８および／またはアクセス端末１０４）からの干渉を受けることがある。たとえば、特定の無認可ＲＦ帯域（たとえば、５ＧＨｚ）上のＬＴＥを介したアクセスポイント１０６による通信は、その帯域上で動作しているＷｉ−Ｆｉ（登録商標）デバイスからの干渉を受けることがある。便宜上、無認可ＲＦ帯域上のＬＴＥは、本明細書では、無認可スペクトルにおけるＬＴＥ／ＬＴＥアドバンスト、または周囲のコンテキストにおいて単にＬＴＥと呼ばれることがある。その上、無認可スペクトルにおけるＬＴＥ／ＬＴＥアドバンストを与えるか、適応させるか、または拡張するネットワークまたはデバイスは、競合ベース無線周波数帯域またはスペクトルにおいて動作するように構成されたネットワークまたはデバイスを指すことがある。
【００３２】
[0043]いくつかのシステムでは、無認可スペクトルにおけるＬＴＥは、すべてのキャリアがワイヤレススペクトルの無認可部分で排他的に動作する、スタンドアロン構成で採用され得る（たとえば、ＬＴＥスタンドアロン）。他のシステムでは、無認可スペクトルにおけるＬＴＥは、ワイヤレススペクトルの認可部分で動作するアンカー認可キャリアと併せて、ワイヤレススペクトルの無認可部分で動作する１つまたは複数の無認可キャリアを与えることによって、認可帯域動作を補足する様式で採用され得る（たとえば、ＬＴＥ補足ダウンリンク（ＳＤＬ：Supplemental DownLink）または認可支援アクセス（ＬＡＡ））。いずれの場合も、１つのキャリアが、対応するＵＥのために１次セル（ＰＣｅｌｌ）として働き（たとえば、ＬＴＥ  ＳＤＬにおけるアンカー認可キャリア、またはＬＴＥスタンドアロンにおける無認可キャリアのうちの指定されたキャリア）、残りのキャリアがそれぞれの２次セル（ＳＣｅｌｌ）として働く、異なるコンポーネントキャリアを管理するために、キャリアアグリゲーション（ＣＡ）が採用され得る。このようにして、ＰＣｅｌｌは、ＦＤＤのペアのダウンリンクおよびアップリンク（認可または無認可）を与え得、各ＳＣｅｌｌは、必要に応じて、追加のダウンリンク容量を与え得る。
【００３３】
[0044]概して、ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。たとえば、Ｋは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚをカバーし得、１．２５、２．５、５、１０または２０ＭＨｚのシステム帯域幅に対してそれぞれ１、２、４、８または１６個のサブバンドがあり得る。
【００３４】
[0045]本開示は、いくつかの態様では、共通に使用されるリソース（たとえば、特定の無認可ＲＦ帯域または同一チャネル）上で動作する異なる技術間の共存を可能にするために使用され得る、本明細書ではキャリア検知適応送信（ＣＳＡＴ：carrier sense adaptive transmission）と呼ばれる技法に関する。アクセスポイント１０６は、コロケートされた無線機（たとえば、トランシーバ）１１２および１１４を含む。無線機１１２は、通信するために第２のＲＡＴ（たとえば、ＬＴＥ）を使用する。無線機１１４は、第１のＲＡＴ（たとえば、Ｗｉ−Ｆｉ）を使用して信号を受信することが可能である。さらに、インターフェース１１６は、無線機１１２および１１４が互いと通信することを可能にする。別の態様では、無線機１１４は、第１のＲＡＴ（たとえば、認可スペクトル中のＬＴＥ）に関係する第２のＲＡＴ（たとえば、無認可スペクトル中のＬＴＥ）を使用して通信し得る。無線機１１２、１１４は、ＤＲＳのロケーションなど、物理レイヤ送信情報を共有し得る。したがって、第２の無線機１１２は、２次コンポーネントキャリア中でＤＲＳを送信し得、第１の無線機１１４は、１次コンポーネントキャリア上でＤＲＳの配置のインジケーションを送る。
【００３５】
[0046]図２は、アクセスネットワーク中でＵＥ２５０と通信している基地局２１０のブロック図である。ＤＬでは、コアネットワークからの上位レイヤパケットがコントローラ／プロセッサ２７５に与えられる。コントローラ／プロセッサ２７５はＬ２レイヤの機能を実装する。ＤＬでは、コントローラ／プロセッサ２７５は、様々な優先度メトリックに基づいて、ヘッダ圧縮と、暗号化と、パケットのセグメンテーションおよび並べ替えと、論理チャネルとトランスポートチャネルとの間の多重化と、ＵＥ２５０への無線リソース割振りとを行う。コントローラ／プロセッサ２７５はまた、ＨＡＲＱ動作と、紛失パケットの再送信と、ＵＥ２５０へのシグナリングとを担当する。
【００３６】
[0047]送信（ＴＸ）プロセッサ２１６は、Ｌ１レイヤ（すなわち、物理レイヤ）のための様々な信号処理機能を実装する。信号処理機能は、ＵＥ２５０における前方誤り訂正（ＦＥＣ：forward error correction）を可能にするためのコーディングおよびインターリービングと、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づく信号コンスタレーションへのマッピングとを含む。次いで、コーディングされ、変調されたシンボルは、並列ストリームに分割される。各ストリームは、次いでＯＦＤＭサブキャリアにマッピングされ、時間領域および／または周波数領域中で基準信号（たとえば、パイロット）と多重化され、次いで時間領域ＯＦＤＭシンボルストリームを搬送する物理チャネルを生成するために、逆高速フーリエ変換（ＩＦＦＴ：Inverse Fast Fourier Transform）を使用して互いに合成される。ＯＦＤＭストリームは、複数の空間ストリームを生成するために空間的にプリコーディングされる。チャネル推定器２７４からのチャネル推定値は、コーディングおよび変調方式を決定するために、ならびに空間処理のために使用され得る。チャネル推定値は、ＵＥ２５０によって送信される基準信号および／またはチャネル状態フィードバックから導出され得る。各空間ストリームは、次いで、別個の送信機２１８ＴＸを介して異なるアンテナ２２０に与えられる。各送信機３１８ＴＸは、送信のためにそれぞれの空間ストリームでＲＦキャリアを変調する。
【００３７】
[0048]さらに、基地局２１０は、発見基準信号を含む１つまたは複数の送信を無認可無線周波数スペクトル上でＵＥに送信するように構成された基準信号生成構成要素４７０（図４）を含み得る。基準信号生成構成要素４７０はコントローラ／プロセッサ２７５に結合されるものとして示されているが、基準信号生成構成要素４７０はまた、他のプロセッサ（たとえば、ＲＸプロセッサ２７０、ＴＸプロセッサ２１６など）に結合され、および／または本明細書で説明されるアクションを実行するように１つまたは複数のプロセッサ２１６、２７０、２７５によって実装され得ることを諒解されたい。さらに、たとえば、基準信号生成構成要素４７０は、限定はしないが、プロセッサ２１６、２７０、および／または２７５を含む、プロセッサのうちの任意の１つまたは複数によって実装され得る。同様に、基準信号生成構成要素４７０は、限定はしないが、プロセッサ２５６、２５９、および／または２６８を含む、プロセッサのうちの任意の１つまたは複数によって実装され得る。
【００３８】
[0049]ＵＥ２５０において、各受信機２５４ＲＸは、それのそれぞれのアンテナ２５２を通して信号を受信する。各受信機２５４ＲＸは、ＲＦキャリア上に変調された情報を復元し、その情報を受信（ＲＸ）プロセッサ２５６に与える。ＲＸプロセッサ２５６は、Ｌ１レイヤの様々な信号処理機能を実装する。ＲＸプロセッサ２５６は、ＵＥ２５０に宛てられた任意の空間ストリームを復元するために、情報に対して空間処理を実行する。複数の空間ストリームがＵＥ２５０に宛てられた場合、それらはＲＸプロセッサ２５６によって単一のＯＦＤＭシンボルストリームに合成され得る。ＲＸプロセッサ２５６は、次いで高速フーリエ変換（ＦＦＴ）を使用してＯＦＤＭシンボルストリームを時間領域から周波数領域に変換する。周波数領域信号は、ＯＦＤＭ信号のサブキャリアごとに別個のＯＦＤＭシンボルストリームを備える。各サブキャリア上のシンボルと、基準信号とは、基地局２１０によって送信された、可能性が最も高い信号コンスタレーションポイントを決定することによって復元され、復調される。これらの軟判定は、チャネル推定器２５８によって計算されるチャネル推定値に基づき得る。軟判定は、次いで、物理チャネル上で基地局２１０によって最初に送信されたデータと制御信号とを復元するために復号され、デインターリーブされる。データおよび制御信号は、次いでコントローラ／プロセッサ２５９に与えられる。
【００３９】
[0050]コントローラ／プロセッサ２５９はＬ２レイヤを実装する。コントローラ／プロセッサは、プログラムコードとデータとを記憶するメモリ２６０に関連し得る。メモリ２６０はコンピュータ可読媒体と呼ばれることがある。ＵＬでは、コントローラ／プロセッサ２５９は、コアネットワークからの上位レイヤパケットを復元するために、トランスポートチャネルと論理チャネルとの間の多重分離と、パケットリアセンブリと、解読と、ヘッダ復元と、制御信号処理とを行う。上位レイヤパケットは、次いで、Ｌ２レイヤの上のすべてのプロトコルレイヤを表す、データシンク２６２に与えられる。また、様々な制御信号がＬ３処理のためにデータシンク２６２に与えられ得る。コントローラ／プロセッサ２５９はまた、ＨＡＲＱ動作をサポートするために肯定応答（ＡＣＫ）および／または否定応答（ＮＡＣＫ）プロトコルを使用する誤り検出を担当する。さらに、ＵＥ２５０は、１つまたは複数の発見基準信号を監視するように構成された基準信号識別構成要素４２０（たとえば、図４参照）を含み得る。基準信号識別構成要素４２０はコントローラ／プロセッサ２５９に結合されるものとして示されているが、基準信号識別構成要素４２０はまた、他のプロセッサ（たとえば、ＲＸプロセッサ２５６、ＴＸプロセッサ２６８など）に結合され、および／または本明細書で説明されるアクションを実行するように１つまたは複数のプロセッサ２５６、２５９、２６８によって実装され得ることを諒解されたい。
【００４０】
[0051]ＵＬでは、データソース２６７は、コントローラ／プロセッサ２５９に上位レイヤパケットを与えるために使用される。データソース２６７は、Ｌ２レイヤの上のすべてのプロトコルレイヤを表す。基地局２１０によるＤＬ送信に関して説明された機能と同様に、コントローラ／プロセッサ２５９は、ヘッダ圧縮と、暗号化と、パケットのセグメンテーションおよび並べ替えと、基地局３１０による無線リソース割振りに基づく論理チャネルとトランスポートチャネルとの間の多重化とを行うことによって、ユーザプレーンおよび制御プレーンのためのＬ２レイヤを実装する。コントローラ／プロセッサ２５９はまた、ＨＡＲＱ動作と、紛失パケットの再送信と、基地局２１０へのシグナリングとを担当する。
【００４１】
[0052]基地局２１０によって送信される基準信号またはフィードバックからの、チャネル推定器２５８によって導出されるチャネル推定値は、適切なコーディングおよび変調方式を選択することと、空間処理を可能にすることとを行うために、ＴＸプロセッサ２６８によって使用され得る。ＴＸプロセッサ３６８によって生成される空間ストリームは、別個の送信機２５４ＴＸを介して異なるアンテナ２５２に与えられる。各送信機２５４ＴＸは、送信のためにそれぞれの空間ストリームでＲＦキャリアを変調する。
【００４２】
[0053]ＵＬ送信は、ＵＥ２５０における受信機機能に関して説明された様式と同様の様式で基地局２１０において処理される。各受信機２１８ＲＸは、それのそれぞれのアンテナ２２０を通して信号を受信する。各受信機２１８ＲＸは、ＲＦキャリア上に変調された情報を復元し、その情報をＲＸプロセッサ２７０に与える。ＲＸプロセッサ２７０はＬ１レイヤを実装し得る。
【００４３】
[0054]コントローラ／プロセッサ２７５はＬ２レイヤを実装する。コントローラ／プロセッサ２７５は、プログラムコードとデータとを記憶するメモリ２７６に関連し得る。メモリ２７６はコンピュータ可読媒体と呼ばれることがある。ＵＬでは、コントローラ／プロセッサ２７５は、ＵＥ２５０からの上位レイヤパケットを復元するために、トランスポートチャネルと論理チャネルとの間の多重分離と、パケットリアセンブリと、解読と、ヘッダ復元と、制御信号処理とを行う。コントローラ／プロセッサ２７５からの上位レイヤパケットはコアネットワークに与えられ得る。コントローラ／プロセッサ２７５はまた、ＨＡＲＱ動作をサポートするためにＡＣＫおよび／またはＮＡＣＫプロトコルを使用する誤り検出を担当する。
【００４４】
[0055]図３Ａは、基準信号生成構成要素４７０（図４）から基準信号識別構成要素３２０に通信を送る際に使用され得る、ＬＴＥにおいて使用されるダウンリンクフレーム構造３００を示す。ダウンリンクのための送信タイムラインは、無線フレーム３０２、３０４の単位に区分され得る。各無線フレーム３０２は、所定の持続時間（たとえば、１０ミリ秒（ｍｓ））を有し得、０〜９のインデックスをもつ１０個のサブフレーム３０６に区分され得る。各サブフレームは、２つのスロット、たとえば、スロット３０８、３１０を含み得る。したがって、各無線フレーム３０２、３０４は、０〜１９のインデックスをもつ２０個のスロットを含み得る。各スロットは、Ｌ個のシンボル期間、たとえば、図３Ａに示されているように、ノーマルサイクリックプレフィックス（ＣＰ）の場合は７つのシンボル期間２１２、または拡張サイクリックプレフィックスの場合は６つのシンボル期間を含み得る。ノーマルＣＰおよび拡張ＣＰは、本明細書では異なるＣＰタイプと呼ばれることがある。各サブフレーム中の２Ｌ個のシンボル期間は０〜２Ｌ−１のインデックスを割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００４５】
[0056]ＬＴＥでは、基準信号生成構成要素４７０（図４）を含むネットワークエンティティ４０４に対応し得る、（発展型ノードＢ（ｅＮＢ）と呼ばれる）アクセスポイントが、発見基準信号（ＤＲＳ）を送信し得る。ＤＲＳは、各セルについて一意であり得る、１次同期信号（ＰＳＳ）と２次同期信号（ＳＳＳ）とを含み得る。一態様では、たとえば、１次同期信号および２次同期信号は、ＤＲＳを含む各サブフレーム中で、それぞれシンボル期間６および５中で送信され得る。たとえば、図３Ａに示されているように、ノーマルサイクリックプレフィックスをもつサブフレーム０および５は、ＤＲＳの少なくともいくつかの物理基準信号（たとえば、同期信号、ＰＳＳおよびＳＳＳ）を含み得る。同期信号は、セル検出および収集のために（ＵＥと呼ばれる）アクセス端末によって使用され得る。たとえば、ＵＥは、セル検出および／またはセル選択プロセス中に測定の一部として同期信号を使用し得る。ｅＮＢは、セル固有基準信号（ＣＲＳ）をも送り得る。たとえば、ＣＲＳは、ノーマルサイクリックプレフィックスの場合、各スロットのシンボル０、１、および４中で送られ、拡張サイクリックプレフィックスの場合、各スロットのシンボル０、１、および３中で送られ得る。ＣＲＳは、物理チャネルのコヒーレント復調、タイミングおよび周波数追跡、無線リンク監視（ＲＬＭ）、基準信号受信電力（ＲＳＲＰ）、ならびに基準信号受信品質（ＲＳＲＱ）測定などのためにＵＥによって使用され得る。
【００４６】
[0057]ｅＮＢは、サブフレーム０のスロット１中のシンボル期間０〜３中で物理ブロードキャストチャネル（ＰＢＣＨ：Physical Broadcast Channel）、および物理制御フォーマットインジケータチャネル（ＰＣＦＩＣＨ：Physical Control Format Indicator Channel）など、他の信号をも送り得る。一態様では、ｅＮＢは、図３Ａでは第１のシンボル期間全体において示されているが、各サブフレームの第１のシンボル期間の一部分のみの中でＰＣＦＩＣＨを送り得る。ｅＮＢはまた、各サブフレームの最初のＭ個（図３ＡではＭ＝３）のシンボル期間中で物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。ｅＮＢはまた、各サブフレームの残りのシンボル期間中で物理ダウンリンク共有チャネル（ＰＤＳＣＨ：Physical Downlink Shared Channel）を送り得る。ＬＴＥにおける様々な信号およびチャネルは、公開されており、その全体が参照により組み込まれる、「Evolved Universal Terrestrial Radio Access (E-UTRA); Physical Channels and Modulation」と題する３ＧＰＰ（登録商標）  ＴＳ  ３６．２１１に記載されている。さらに、３ＧＰＰ刊行物３ＧＰＰ  ＴＳ  ３６．２１２、３６．２１３、および３６．３３１も公開されており、それらの全体が参照により組み込まれる。
【００４７】
[0058]一態様では、ｅＮＢは、ｅＮＢによって使用されるシステム帯域幅の中心１．０８ＭＨｚにおいてＰＳＳ、ＳＳＳおよびＰＢＣＨを送り得る。一態様では、ＰＳＳ、ＳＳＳ、および／またはＰＢＣＨを送信するために使用される帯域幅は、最高、システム帯域幅全体を使用するために拡大され得る。ｅＮＢは、これらのチャネルが送られる各シンボル期間中でシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。
【００４８】
[0059]各シンボル期間中でいくつかのリソース要素が利用可能であり得る。各リソース要素は、１つのシンボル期間中で１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは１つのシンボル期間中で４つのリソース要素を含み得る。ＰＣＦＩＣＨは、シンボル期間０中で、周波数にわたってほぼ等しく離間され得る、４つのＲＥＧを占有し得る。ＰＨＩＣＨは、１つまたは複数の構成可能なシンボル期間中で、周波数にわたって拡散され得る、３つのＲＥＧを占有し得る。たとえば、ＰＨＩＣＨのための３つのＲＥＧは、すべてシンボル期間０中に属し得るか、またはシンボル期間０、１および２中で拡散され得る。ＰＤＣＣＨは、最初のＭ個のシンボル期間中で、利用可能なＲＥＧから選択され得る、９、１８、３２または６４個のＲＥＧを占有し得る。ＲＥＧのいくつかの組合せのみがＰＤＣＣＨに対して可能にされ得る。
【００４９】
[0060]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して可能にされる組合せの数よりも少ない。ｅＮＢは、ＵＥが探索することになる組合せのいずれか（たとえば、共通探索空間またはＵＥ固有探索空間）においてＵＥにＰＤＣＣＨを送り得る。ＵＥは、複数のｅＮＢのカバレージ内にあり得る。これらのｅＮＢのうちの１つが、そのＵＥをサービスするために選択され得、１次セル（Ｐｃｅｌｌ）と呼ばれることもある。サービングｅＮＢは、受信電力、経路損失、信号対雑音比（ＳＮＲ）など、様々な基準に基づいて選択され得る。
【００５０】
[0061]図３Ｂは、ＬＴＥにおけるダウンリンク（ＤＬ）フレーム構造３６０の別の例を示す図３５０である。フレーム（１０ｍｓ）は、等しいサイズの１０個のサブフレーム３６５に分割され得る。各サブフレーム３６５は、２つの連続するタイムスロットを含み得る。２つのタイムスロットを表すためにリソースグリッド３７０が使用され得、各タイムスロットはリソースブロックを含む。リソースグリッド３７０は複数のリソース要素（ＲＥ）に分割される。Ｒ３７２、３７４として示されるリソース要素のうちのいくつかは、ＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３７２と、ＵＥ固有ＲＳ（ＵＥ−ＲＳ：UE-specific RS）３７４とを含み得る。ＵＥ−ＲＳ３７４は、対応する物理ＤＬ共有チャネル（ＰＤＳＣＨ：physical DL shared channel）がマッピングされるリソースブロック上で送信される。各リソース要素によって搬送されるビット数は変調方式に依存する。したがって、ＵＥが受信するリソースブロックが多いほど、また変調方式が高いほど、ＵＥのためのデータレートは高くなる。
【００５１】
[0062]ＤＲＳが送信されるサブフレームでは、リソースグリッド３７０は、ＤＲＳのためのリソース要素をも含み得る。たとえば、リソースグリッド３７０は、ＰＳＳ（Ｐ）３７６、ＳＳＳ（Ｓ）３７８、およびＣＳＩ−ＲＳ（Ｃ）３８０のためのリソース要素を含み得る。一態様では、ＤＲＳを送信するための要素は、ＰＤＳＣＨ上でＵＥのためのトランスポートブロックを送信するために利用不可能であり得る。したがって、トランスポートブロックは、ＤＲＳ、ならびにＤＬ−ＲＳの周りでレートマッチングされ得る。一態様では、ｅＮＢは、どのサブフレームがＤＲＳを含むかをシグナリングし得、したがって、ＵＥはそれらのサブフレーム中の受信された送信を適宜にレートマッチングすることができる。一態様では、ＣＳＩ−ＲＳなど、ＤＲＳのリソース要素の周りでｅＳＩＢをレートマッチングすることによって、ｅＳＩＢが、ＰＤＳＣＨ上で送信され得る。
【００５２】
[0063]図４は、本開示の一態様による、ワイヤレス通信システム４００の一例を概念的に示すブロック図であり、ここにおいて、それぞれの構成要素は、ＵＥまたはアクセス端末が無認可周波数スペクトル中で認可支援アクセス（ＬＡＡ）モードおよび／またはキャリアアグリゲーションモードで動作しているとき、ＵＥまたはアクセス端末がｅノードＢまたはアクセスポイントに関する測定を実行することを可能にするように動作する。ワイヤレス通信システム４００は、１つまたは複数の通信チャネル４０８および／または４１０を介して、ＵＥ４０２など、１つまたは複数のＵＥと通信する、１つまたは複数のネットワークエンティティ４０４、たとえば、１つまたは複数の発展型ノードＢ（ｅノードＢ）を含み得る。
【００５３】
[0064]一態様では、各ネットワークエンティティ４０４は、アクセスポイント１０６（図１）の一例であり得、ＵＥ４０２は、アクセス端末１０２の一例であり得る。各ネットワークエンティティ４０４は、発見基準信号を含む１つまたは複数の送信を無認可無線周波数スペクトル上でＵＥ４０２などのＵＥに送信するように構成され得る、基準信号生成構成要素４７０を含み得る。ＵＥ４０２は、１つまたは複数の発見基準信号を監視するための基準信号識別構成要素４２０を用いて構成され得る。たとえば、一態様では、基準信号は、限定はしないが、ネットワークエンティティ４０４と接続するためにＵＥ４０２に情報を与えるように構成された物理チャネル上の送信信号を含み得る。さらに、たとえば、一態様では、基準信号は、ＰＳＳ、ＳＳＳ、ＣＲＳ、ＣＳＩ−ＲＳ、ＣＳＩ−ＩＭ、および／またはｅＳＩＢを含み得る。いくつかの態様では、ＤＲＳは、発見ウィンドウの異なるサブフレーム中に、または他の態様では、発見ウィンドウの外部で送信および／または受信され得る。
【００５４】
[0065]いくつかの態様では、ＵＥ４０２は、メモリ４２２と、１つまたは複数のプロセッサ４２４と、トランシーバ４２６とを含み得る。メモリと、１つまたは複数のプロセッサ４２４と、トランシーバ４２６とは、バス４３８を介して内部で通信し得る。いくつかの例では、メモリ４２２と１つまたは複数のプロセッサ４２４とは、同じハードウェア構成要素の一部であり得る（たとえば、同じボード、モジュール、または集積回路の一部であり得る）。代替的に、メモリ４２２と１つまたは複数のプロセッサ４２４とは、互いと連携して働き得る別個の構成要素であり得る。いくつかの態様では、バス４３８は、ＵＥ４０２の複数の構成要素および副構成要素間でデータを転送する通信システムであり得る。いくつかの例では、１つまたは複数のプロセッサ４２４は、モデムプロセッサ、ベースバンドプロセッサ、デジタル信号プロセッサおよび／または送信プロセッサのうちのいずれか１つまたはそれらの組合せを含み得る。追加または代替として、１つまたは複数のプロセッサ４２４は、本明細書で説明される１つまたは複数の方法またはプロシージャを行うための基準信号識別構成要素４２０を含み得る。基準信号識別構成要素４２０は、ハードウェア、ファームウェア、および／またはソフトウェアを備え得、メモリ（たとえば、コンピュータ可読記憶媒体）に記憶された、コードを実行するかまたは命令を実施するように構成され得る。
【００５５】
[0066]いくつかの例では、ＵＥ４０２は、本明細書で使用されるデータ、ならびに／あるいはアプリケーションのローカルバージョン、あるいは１つまたは複数のプロセッサ４２４によって実行されている基準信号識別構成要素４２０および／またはそれの副構成要素のうちの１つまたは複数との通信を記憶するためなどのメモリ４２２を含み得る。メモリ４２２は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータまたは１つまたは複数のプロセッサ４２４によって使用可能な任意のタイプのコンピュータ可読媒体を含むことができる。一態様では、たとえば、ＵＥ４０２が基準信号識別構成要素４２０および／またはそれの副構成要素のうちの１つまたは複数を実行するように１つまたは複数のプロセッサ４２４を動作させているとき、メモリ４２２は、基準信号識別構成要素４２０および／またはそれの副構成要素のうちの１つまたは複数を定義する１つまたは複数のコンピュータ実行可能コード、ならびに／あるいはそれに関連するデータを記憶するコンピュータ可読記憶媒体（たとえば、非一時的媒体）であり得る。
【００５６】
[0067]いくつかの例では、ＵＥ４０２は、１つまたは複数のネットワークエンティティ４０４を介して、ネットワークに／から１つまたは複数のデータおよび制御信号を送信および／または受信するためのトランシーバ４２６をさらに含み得る。トランシーバ４２６は、ハードウェア、ファームウェア、および／またはソフトウェアを備え得、メモリ（たとえば、コンピュータ可読記憶媒体）に記憶された、コードを実行するかまたは命令を実施するように構成され得る。トランシーバ４２６は、モデム４３０を備える第１のＲＡＴ無線機４２８と、モデム４３４を備える第２のＲＡＴ無線機４３２（たとえば、ＬＴＥ無線機）とを含み得る。第１のＲＡＴ無線機４２８および第２のＲＡＴ無線機４３２は、１つまたは複数のネットワークエンティティ４０４に信号を送信し、それから信号を受信するための１つまたは複数のアンテナ４３６ａ〜ｂを利用し得る。一例では、第１のＲＡＴ無線機４２８は、ワイヤレスローカルエリアネットワーク（ＷＬＡＮ）に関連し得、第２のＲＡＴ無線機４３２は、無認可スペクトル上でのワイヤレスワイドエリアネットワーク（ＷＷＡＮ）に関連し得る。
【００５７】
[0068]基準信号識別構成要素４２０は、発見ウィンドウに関する受信されたサブフレームの相対位置を決定するように構成され得る、相対位置決定構成要素４４０を含み得る。たとえば、ＵＥ４０２は、トランシーバ４２６を介して、通信チャネル４１０上で、受信されたサブフレーム中でＤＲＳを受信し得る。いくつかの態様では、ＤＲＳの送信されたサブフレームが、ＵＥ４０２に知られていないことがある。相対位置決定構成要素４４０は、発見ウィンドウに関する受信されたサブフレームの相対位置を決定するように構成され得る。たとえば、相対位置決定構成要素４４０は、ＤＲＳのための発見ウィンドウに対する受信されたサブフレームに基づいて、ＤＲＳが発見ウィンドウの第１の部分中で送信されたのか、第２の部分中で送信されたのか、外部で送信されたのかを決定し得る（たとえば、発見ウィンドウは、１つの無線フレーム２０２のサイズであるＤＲＳ測定タイミング構成ウィンドウであり得る）。
【００５８】
[0069]一態様では、基準信号識別構成要素４２０は、固有サブフレームに基づいてではなく、発見ウィンドウに関する受信されたサブフレームの相対位置に基づいて、受信されたＤＲＳをデスクランブルするために使用すべきスクランブリングシーケンスを選択するように構成され得る、スクランブリングシーケンス選択構成要素４４２を含み得る。たとえば、１つまたは複数のネットワークエンティティ４０４の基準信号生成構成要素４７０は、概して、（サブフレームインデックスとも呼ばれる）各々、送信されたサブフレームの異なる部分に対応する、異なるスクランブリングシーケンスのグループのうちの１つに従って、スクランブルされたＤＲＳを送信するように構成され得る。ＵＥ４０２は、発見ウィンドウに対するＤＲＳを含むサブフレームの相対位置に基づいて、固有スクランブリングシーケンスを選択し得る。
【００５９】
[0070]たとえば、ＤＲＳの受信されたサブフレームがサブフレーム０、１、２、３、または４のうちの１つ中にあったとき、ＵＥ４０２は、相対位置決定構成要素４４０を介して、ＤＲＳがプリアンブルパターンを搬送すると決定し得る。さらに、たとえば、ＤＲＳの受信されたサブフレームがサブフレーム５、６、７、８、または９のうちの１つ中にあったとき、ＵＥ４０２は、相対位置決定構成要素４４０を介して、ＤＲＳがミッドアンブルパターンを搬送すると決定し得る。そのような事例では、固有スクランブリングシーケンスを識別するために固有サブフレームインデックスを決定することの代わりに、ＵＥ４０２は、単に、相対位置決定構成要素４４０を介して、サブフレームが、発見ウィンドウ中で受信されたサブフレームの第１の部分中に（サブフレーム０〜４のうちの１つ中に）あったのか第２の部分中に（サブフレーム５〜９のうちの１つ中に）あったのかを決定し得る。次いで、ＵＥ４０２は、スクランブリングシーケンス選択構成要素４４２を介して、サブフレームの第１の部分または第２の部分のいずれか中でＤＲＳを送信するときに使用するために識別されるスクランブリングシーケンスを選択するように構成され得る。一態様では、第１または第２の部分のためのスクランブリングシーケンスは、その部分の第１のサブフレーム（たとえば、第１の部分の場合はサブフレーム０、第２の部分の場合はサブフレーム５）中に含まれ得る。一態様では、ＵＥ４０２は、相対位置決定構成要素４４０を介して、発見ウィンドウ内のサブフレーム０、１、２、３、４、６、７、８、９のうちのいずれか内にあるＤＲＳの相対位置と決定し得る。ＵＥ４０２は、次いで、サブフレーム０に対応するスクランブリングシーケンスを選定し得る。
【００６０】
[0071]たとえば、ＤＲＳがサブフレーム２中でＵＥ４０２によって受信された場合、ＵＥ４０２は、相対位置決定構成要素４４０を介して、ＤＲＳが発見ウィンドウに関連するサブフレームの第１の部分中で送信されたと決定し得、スクランブリングシーケンス選択構成要素４４２を介して、限定はしないが、サブフレーム０に対応するスクランブリングシーケンスなど、第１の部分に関連することが知られているスクランブリングシーケンスを選択し得る。同様に、ＤＲＳがサブフレーム８中でＵＥ４０２によって受信された場合、ＵＥ４０２は、相対位置決定構成要素４４０を介して、ＤＲＳが第２の部分中で受信されたと決定し得、スクランブリングシーケンス選択構成要素４４２を介して、サブフレーム５中に含まれるスクランブリングシーケンスを選択し得る。一態様では、ＤＲＳは、発見ウィンドウの外部のサブフレーム中で受信され得る。そのような事例では、ＵＥ４０２は、実際のサブフレーム番号を決定し得る。
【００６１】
[0072]別の態様では、基準信号識別構成要素４２０は、受信された基準信号に基づいてチャネル状態情報（ＣＳＩ）リソースを決定するように構成され得る、チャネル状態決定構成要素４４４を含み得る。一態様では、たとえば、ＵＥ４０２は、セル固有リソース信号（ＣＲＳ）の形態のＤＲＳを受信し得る。ＵＥ４０２は、発見ウィンドウに関するＣＲＳの相対位置を決定するために、相対位置決定構成要素４４０を使用し得る。ＵＥ４０２は、一態様では、ＣＳＩリソースが存在するかどうかを決定するために、チャネル状態決定構成要素４４４を使用し得る。一態様では、決定は、発見ウィンドウに関するＣＲＳを含むサブフレームの相対位置に基づき得る。
【００６２】
[0073]たとえば、ＵＥ４０２は、周期ＣＳＩ−ＲＳ送信構成のために、無線リソース管理（ＲＲＭ）測定のために、および／または、チャネル推定のためになど、異なるプロセスのためにＣＳＩ−ＲＳリソースを使用し得る。一態様では、ＣＳＩ−ＲＳリソースは、独立してこれらのプロセスの各々のために構成され得る。衝突を回避するために、ＵＥ４０２および／またはネットワークエンティティ４０４は、ＣＳＩ−ＲＳリソースにアクセスし、および／またはそれを使用するプロセスを制限し得る。たとえば、ＵＥ４０２は、ＲＲＭ測定またはチャネル決定（たとえば、チャネル品質インジケータ（ＣＱＩ）、チャネル推定値を決定するための、および／または基準信号受信電力（ＲＳＲＰ）を決定するためのチャネル測定）のうちの１つのみのためにＣＳＩ−ＲＳを使用するように制限され得る。一態様では、ＵＥ４０２はまた、ＤＲＳ（たとえば、ＣＲＳ）を処理するとき、チャネル状態情報のためにＣＳＩ−ＲＳを使用し得る。そのような事例では、ＤＲＳのために使用されるＣＳＩ−ＲＳリソースと、他のプロセス（たとえば、ＲＲＭ測定など）のために使用されるＣＳＩ−ＲＳリソースとは、同一であり得る。一態様では、これは、ＵＥ４０２がサブフレーム中の最後の２つのシンボルを使用するＣＳＩ−ＲＳリソースを構成するのを妨げ得る。
【００６３】
[0074]ＣＳＩ−ＲＳが周期ＣＳＩ−ＲＳ送信の一部として構成されるとき、それは、リッスンビフォアトーク（ＬＢＴ）を条件として周期的に発生し得る。ＣＲＳおよび（ＣＳＩ−ＲＳ）を搬送するサブフレームを受信したとき、ＵＥ４０２は、発見ウィンドウに関するサブフレームの相対位置を決定し得る。ＵＥ４０２が、サブフレームが、受信ウィンドウの外部にあり、全サブフレームであると決定したとき、ＵＥ４０２はまた、サブフレームが有効なダウンリンクサブフレームであるかどうかを決定することを試みる。
【００６４】
[0075]一態様では、ＵＥ４０２は、ＤＭＴＣウィンドウ内にまたはＤＲＳサブフレーム内に存在するいくつかのＣＳＩリソースのうちの１つのみを監視することが予想され得る。これは、ＵＥ４０２がＤＲＳの一部としてＣＳＩ−ＲＳを用いて構成されたときに発生し得る。
【００６５】
[0076]一態様では、ＵＥ４０２は、ＣＳＩ処理のためのおよび周期ＣＱＩおよび非周期ＣＱＩを報告するためのタイミング緩和を与えられ得る。別の態様では、ネットワークエンティティ４０４は、タイミング緩和を用いて物理アップリンク共有チャネル（ＰＵＳＣＨ）または物理アップリンク制御チャネル（ＰＵＣＣＨ）リソースを構成し得る。これは、ＤＲＳ中に存在するＣＳＩ処理リソースに基づいてＣＳＩを報告することのみのために発生し得る。一態様では、ＲＲＣシグナリングは、ＣＳＩ構成を与えることができ、別の態様では、ＣＳＩ構成は、非周期ＣＳＩ要求を搬送するＵＬ許可の一部として含まれ得る。
【００６６】
[0077]サブフレームが有効なＤＬサブフレームであるという決定が行われたとき、ＵＥ４０２は、ＣＳＩ−ＲＳおよびＣＳＩ干渉管理（ＣＳＩ−ＩＭ）情報がそのサブフレーム中に含まれると決定し得る。ＵＥ４０２は、受信されたＣＳＩ−ＲＳを構成するためにサブフレーム中に含まれる情報を使用し得る。同様に、ＵＥ４０２が、サブフレームが初期部サブフレーム（たとえば、発見ウィンドウの第１の部分中のサブフレーム）または終了部サブフレーム（たとえば、発見ウィンドウの第２の部分中のサブフレーム）であると決定したとき、ＵＥ４０２は他の情報を決定し得る。たとえば、初期部サブフレームの場合、ＵＥ４０２は、サブフレームがどのように定義されるかに基づいて、ＣＳＩ−ＲＳおよび／またはＣＳＩ−ＩＭリソースがサブフレーム中に存在するかどうかを決定し得る。終了部サブフレームの場合、ＵＥ４０２は、ダウンリンクパイロットタイムスロット（ＤｗＰＴＳ）構成に基づいて、ＣＳＩ−ＲＳおよび／またはＣＳＩ−ＩＭ情報の存在を決定し得る。一態様では、サブフレーム内のＣＳＩ−ＲＳおよび／またはＣＳＩ−ＩＭ情報の時間および周波数ロケーションは、部分サブフレームの構成タイプに依存する。
【００６７】
[0078]その上、たとえば、通信システム４００はＬＴＥネットワークであり得る。通信システム４００は、いくつかの発展型ノードＢ（ｅノードＢ）（たとえば、ネットワークエンティティ４０４）と、ＵＥ４０２と、他のネットワークエンティティとを含み得る。ｅノードＢは、ＵＥ４０２と通信する局であり得、基地局、アクセスポイントなどと呼ばれることもある。ノードＢは、ＵＥ４０２と通信する局の別の例である。各ｅノードＢ（たとえば、ネットワークエンティティ４０４）は、特定の地理的エリアに通信カバレージを与え得る。３ＧＰＰでは、「セル」という用語は、この用語が使用されるコンテキストに応じて、ｅノードＢのカバレージエリアおよび／またはそのカバレージエリアをサービスしているｅノードＢサブシステムを指すことがある。
【００６８】
[0079]ｅノードＢ（たとえば、ネットワークエンティティ４０４）は、スモールセルおよび／または他のタイプのセルに通信カバレージを与え得る。本明細書で使用される「スモールセル」（または「スモールカバレージセル」）という用語は、アクセスポイントまたはアクセスポイントの対応するカバレージエリアを指すことがあり、ここで、この場合のアクセスポイントは、たとえば、マクロネットワークアクセスポイントまたはマクロセルの送信電力あるいはカバレージエリアと比較して、比較的低い送信電力あるいは比較的小さいカバレージを有する。たとえば、マクロセルは、限定はしないが、半径数キロメートルなど、比較的大きい地理的エリアをカバーし得る。対照的に、スモールセルは、限定はしないが、自宅、建築物、または建築物のフロアなど、比較的小さい地理的エリアをカバーし得る。したがって、スモールセルは、限定はしないが、基地局（ＢＳ）、アクセスポイント、フェムトノード、フェムトセル、ピコノード、マイクロノード、ノードＢ、発展型ノードＢ（ｅＮＢ）、ホームノードＢ（ＨＮＢ：home Node B）またはホーム発展型ノードＢ（ＨｅＮＢ：home evolved Node B）など、装置を含み得る。したがって、本明細書で使用される「スモールセル」という用語は、マクロセルと比較して比較的低い送信電力および／または比較的小さいカバレージエリアセルを指す。マクロセルのためのｅノードＢはマクロｅノードＢと呼ばれることがある。ピコセルのためのｅノードＢはピコｅノードＢと呼ばれることがある。フェムトセルのためのｅノードＢはフェムトｅノードＢまたはホームｅノードＢと呼ばれることがある。
【００６９】
[0080]ＵＥ４０２は、ワイヤレスネットワークシステム４００全体にわたって分散され得、各ＵＥ４０２は固定式または移動可能であり得る。たとえば、ＵＥ４０２は、端末、移動局、加入者ユニット、局などと呼ばれることがある。別の例では、ＵＥ４０２は、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、ネットブック、スマートブックなどであり得る。ＵＥ４０２は、マクロｅノードＢ、ピコｅノードＢ、フェムトｅノードＢ、リレーなどと通信することが可能であり得る。たとえば、図４では、送信は、ＵＥ４０２と、ダウンリンクおよび／またはアップリンク上でＵＥ４０２をサービスするために指定されたｅノードＢであるサービングｅノードＢ（たとえば、ネットワークエンティティ４０４）との間で発生し得る。
【００７０】
[0081]非限定的な使用事例では、たとえば、ＤＲＳ（ＰＳＳ／ＳＳＳ／ＣＳＩ−ＲＳ）中の信号の送信は、ＤＭＴＣウィンドウの外部内で行われ得る。詳細には、いくつかの態様では、あらゆるサブフレーム０および５について、ｅＮＢ（たとえば、ネットワークエンティティ４０４のうちの少なくとも１つ）によって送信されたとき、ＰＳＳ／ＳＳＳ／ＣＲＳを含んでいることがあり、ここで、ＬＳＳ  ＤＲＳ中のＰＳＳ／ＳＳＳ／ＣＲＳは、これらの信号のサブセットである。いくつかの態様では、ＣＲＳポートの数は、ＤＲＳ中のＣＲＳポートの数と同じであるかまたはそれよりも多くなり得る。さらに、いくつかの態様では、部分送信時間間隔（ＴＴＩ）（たとえば、物理レイヤに受け渡されているＭＡＣプロトコルデータユニット（ＰＤＵ）間の最小時間）は、サブフレーム０および５中にあり得る。さらに、いくつかの態様では、ＵＥ４０２は、構成されたＤＲＳ  ＤＭＴＣウィンドウ中にＤＲＳを送信する（たとえば、ネットワークエンティティ４０４の）セルを検出および／または測定するように構成され得る。
【００７１】
[0082]いくつかの態様では、ＬＡＡ  ＤＲＳ中のＰＳＳ／ＳＳＳ／ＣＲＳは、ＰＳＳ／ＳＳＳ／ＣＲＳのサブセットであり得る。さらに、ＣＳＩ−ＲＳは、ＣＱＩを計算するためのチャネル推定の目的でＤＲＳの一部として送信され得る。ＵＥ４０２は、構成されたＣＳＩ−ＲＳを使用するＣＳＩチャネル測定の目的で、同じサブフレーム中のＤＲＳおよびＣＳＩ−ＲＳを用いて構成され得る。さらに、いくつかの態様では、ＵＥ４０２は、ＣＲＳポートがＣＳＩ測定の目的でＤＲＳオケージョン中に（たとえば、ＤＲＳ設計／構造に応じて）送信されると仮定し得る。したがって、上記の基準信号のためのスクランブリングシーケンスが、ＬＡＡのために決定され得る。さらに、ＤＲＳの一部としてのＣＳＩ−ＲＳ送信間の衝突が、チャネル測定、ＲＳＲＰおよび周期ＣＳＩ−ＲＳのために解決され得る。
【００７２】
[0083]ＰＳＳ／ＳＳＳ／ＣＲＳ／ＣＳＩ−ＲＳスクランブリングに関して、ＵＥ４０２は、ＬＡＡ  ＳＣｅｌｌを用いて構成され得、ここで、ＳＣｅｌｌのタイミングは、ＣＡフレームワークを通してＰＣｅｌｌのタイミングから導出され得る。したがって、サービングＳＣｅｌｌに関して、各サブフレーム中で使用されるスクランブリングシーケンスは、この関係を使用して決定され得る。スクランブリングシーケンスの選定に制限を課する際のファクタが、サービングＰＬＭＮまたはネイバリングＰＬＭＮのいずれかに属する他のＬＡＡ送信機からのネイバーセル測定を実行したいという要望から起こる。
【００７３】
[0084]ＬＡＡでは、ＤＲＳは、ＤＭＴＣ内で「浮動する」ことができ、すなわち、ＤＲＳは、ＤＭＴＣ内のいくつかのサブフレーム候補位置のうちの１つ中で発生し得る。ＵＥ４０２がネイバリングセル上でＲＲＭ測定を実行することを可能にするために、ＰＳＳ／ＳＳＳのためのスクランブリングのいくつかの選定が使用され得る。最初に、たとえば、ＰＳＳ／ＳＳＳは、プリアンブルパターンを搬送する無線フレームのサブフレーム０、１、２、３および４中のＤＲＳの一部として送信され得る。さらに、たとえば、ＰＳＳ／ＳＳＳは、ミッドアンブルパターンを搬送する無線フレームのサブフレーム５、６、７、８および９中のＤＲＳの一部として送信され得る。さらに、たとえば、ＰＳＳ／ＳＳＳは、Ｒｅｌ−１２構造に従い得るＤＭＴＣパターンの外部で送信され得る。
【００７４】
[0085]その上、いくつかの態様では、ＵＥ４０２がＰＳＳ／ＳＳＳを検出すると、ＵＥ４０２は、ＤＲＳがそれの中で送信されたサブフレームが、（プリアンブルタイプが検出されたとき）サブフレーム０、１、２、３または４のうちの１つあるいは（ミッドアンブルタイプが検出されたとき）サブフレーム５、６、７、８または９のうちの１つのいずれかであったと決定するように構成され得る。いくつかの態様では、ＲＲＭ測定およびＰＬＭＮ  ＩＤを決定することなどの目的で、ＵＥ４０２は、ＣＲＳおよびＣＳＩ−ＲＳ処理のために使用されるべき厳密なスクランブリングシーケンスを決定するように構成され得る。ＤＭＴＣ内のサブフレーム中のスクランブリングシーケンスが、厳密なサブフレームインデックスを決定された場合、ＵＥ４０２は、そのサブフレーム中で使用される厳密なスクランブリングシーケンスを決定するために、スクランブリングシーケンスのためのいくつかの仮説（少なくとも５つ）をテストし得る。これは、ＵＥ４０２における誤検出およびフォールスアラームにより著しく増加された検出複雑さおよび破損した測定を生じ得る。
【００７５】
[0086]いくつかの態様では、ＣＲＳおよびＣＳＩ−ＲＳ送信のためのＤＭＴＣ内のＤＲＳのために、ＵＥ４０２の実装複雑さを低減し、信頼性を改善するために、以下のスクランブリング方式のうちの少なくとも１つが利用され得、すなわち、実際のサブフレームＳＦ＃０、ＳＦ＃１、ＳＦ＃２、ＳＦ＃３およびＳＦ＃４中のＳＦ＃０スクランブリングを使用する、実際のサブフレームＳＦ＃５、ＳＦ＃６、ＳＦ＃７、ＳＦ＃８およびＳＦ＃９中のＳＦ＃５スクランブリングを使用する、またはＵＥ固有基準信号（ＵＥＲＳ：UE-specific reference signal）スクランブリングを使用する。さらに、ＤＭＴＣの外部の送信の場合、すべてのシーケンスのスクランブリングが、実際のサブフレーム番号に基づき得る。ＤＭＴＣの外部のＰＳＳ／ＳＳＳ送信は、サブフレーム０および５のみの中で発生し得ることに留意されたい。
【００７６】
[0087]そのようなスクランブリング方式は、ＵＥ４０２がＤＭＴＣ内の（同期または非同期のいずれかの）ネイバーセルのＰＳＳ／ＳＳＳ送信を検出するかどうかにかかわらず、ＰＳＳ／ＳＳＳ送信がプリアンブルベース（ＳＦ＃０）であったのかミッドアンブルベース（ＳＦ＃５）であったのかを決定することによって、そのサブフレーム中のＣＲＳおよびＣＳＩ−ＲＳシーケンスのスクランブリングが決定され得ることを保証する。これは、ＵＥ４０２の計算複雑さを著しく増加させることおよび測定の信頼性を低下させることなしに、ネイバーセルのための測定プロシージャを簡略化し得る。
【００７７】
[0088]（たとえば、ネットワークエンティティ４０４の）ネイバーセルについて、ＵＥ４０２は、ＲＳＲＰのためのＣＳＩ−ＲＳが構成された場合、ＣＲＳの存在がＣＳＩ−ＲＳリソースの存在をも示し得ると決定し得る。ＵＥ４０２は、ＣＲＳリソースからＣＳＩ−ＲＳリソースのためのスクランブリングを決定し得る。それの実際のＤＲＳ送信がＵＥのＤＭＴＣ内で発生しない、極めて非同期のネイバーの測定について、ＣＳＩ−ＲＳの存在を仮定することは、ＰＳＳ／ＳＳＳ送信がＤＭＴＣの一部でないことがあるので、有効でないことがある。そのようなシナリオでは、ｅＮＢ（たとえば、ネットワークエンティティ４０４）が、ＵＥ４０２０を正しく構成するか、またはＣＳＩ−ＲＳを使用する不正確なＲＳＲＰ測定に対処するために準備され得ると仮定されるべきである。
【００７８】
[0089]ＤＭＴＣ内での制御およびデータ送信に関して、いくつかの態様では、ＵＥ４０２は、データ経路と「狭帯域」探索器経路とを有し得る。データ経路実装は、制御およびデータチャネル復調、ＣＳＩフィードバック、ならびに時間／周波数同期などの様々な他の機能のために使用され得、所与のサブフレーム中のすべての基準信号がサブフレーム番号に従ってスクランブルされると仮定し得、探索器経路は、（ＦＦＴの目的で）サービングセルとタイミング同期していないセルを扱い得る。探索器経路は、既存のＵＥ４０２の実装形態に著しく影響を及ぼすことなしに、より動的に構成され得る。
【００７９】
[0090]したがって、サブフレーム１、２、３、４および６、７、８、９が、ＵＥ４０２のデータ経路に沿って実装困難を生じることがあるＤＭＴＣの一部である場合、サブフレーム１、２、３、４および６、７、８、９の中で異なるスクランブリングが使用され得る。シーケンススクランブリング混乱を回避し、実装複雑さを低減するために、ＵＥ４０２は、それらのサブフレーム中の制御およびデータチャネルを復調し得、ここで、ＣＲＳスクランブリングは、実際のサブフレームインデックスに整合する。
【００８０】
[0091]ＬＡＡのための、ＣＳＩ−ＲＳ／ＣＳＩ−ＩＭ構成、スクランブリングおよびＵＥ４０２挙動に関して、３つの独立したＣＳＩ−ＲＳ「リソース」がＬＡＡのために構成され、１つが、周期ＣＳＩ−ＲＳ送信構成の一部としてのＣＳＩ−ＲＳであり、別の１つが、ＲＲＭ測定のためのＤＲＳの一部としてのＣＳＩ−ＲＳであり、最後が、チャネル推定のためのＤＲＳの一部としてのＣＳＩ−ＲＳであり得る。いくつかの態様では、衝突シナリオが、３つの異なるＣＳＩ−ＲＳ構成間で経験され得、したがって、固有スクランブリングシーケンスは、各送信インスタンス中でＣＳＩ−ＲＳのために使用され得る。
【００８１】
[0092]いくつかの態様では、周期ＣＳＩ−ＲＳ送信の一部として構成されたＣＳＩ−ＲＳは、リッスンビフォアトーク（ＬＢＴ）を条件として周期的に発生し得る。ＵＥ４０２は、ＣＳＩ−ＲＳを搬送するサブフレームのためにいくつかのシナリオを扱い得る。たとえば、ＤＭＴＣの外部にあり、全サブフレームであるサブフレームに関係するいくつかの態様では、ＣＲＳがシンボル０中で検出された場合、またはＵＥ４０２がＤＬ−ＵＬ構成または任意の他の手段の知識を通して現在サブフレームが有効なＤＬサブフレームであることを知った場合、ＵＥは、ＣＳＩ−ＲＳおよびＣＳＩ−ＩＭがそのサブフレーム中で発生すると決定し得る。さらに、たとえば、サブフレームが終了部分サブフレームであるとき、ＣＲＳがシンボル０中で検出され、シグナリングが終了部分サブフレームを示すために存在する場合、ＵＥ４０２は、ＤｗＰＴＳ構成によって決定されたＣＳＩ−ＲＳ存在を決定し得る。いくつかの態様では、ＦＤ−ＭＩＭＯのために、０電力（ＺＰ）および非０電力（ＮＺＰ−ＣＳＩ−ＲＳ）がＤｗＰＴＳにおいて導入され得る。基準リソースのグループのうちの１つが、ＣＳＩ−ＩＭのために仮定されるべきである。さらに、ＵＥ４０２は、ＣＱＩを計算するためにＤｗＰＴＳ構成を使用する前にＤｗＰＴＳ構成のタイプを決定し得るので、ＣＱＩを計算するための処理時間緩和があり得る。
【００８２】
[0093]さらに、たとえば、サブフレームが初期部分サブフレームであるとき、ＵＥ４０２は、初期部分サブフレームがどのように定義されるかに応じて、いくつかの方法でＣＳＩを処理し得る。いくつかの態様では、初期部分サブフレームがＤｗＰＴＳのシフトされたバージョン（またはサブフレームの第１のスロット）である場合、ＵＥ４０２は、ＤｗＰＴＳ構成通りにＣＳＩ−ＲＳ／ＣＳＩ−ＩＭリソースの存在を決定し得る。いくつかの態様では、初期部分サブフレームが全サブフレームの第２のスロットである場合、ＵＥ４０２は、ＣＳＩ−ＲＳ／ＣＳＩ−ＩＭリソースがサブフレームの第２のスロット内でおよび初期部分サブフレームのＰＤＣＣＨ領域の外部で発生するように構成された場合、ＣＳＩ−ＲＳ／ＣＳＩ−ＩＭリソースの存在を決定し得る。いくつかの態様では、ＣＳＩ−ＲＳ／ＣＳＩ−ＩＭリソースは、初期部分サブフレーム中で送信されないことがあり、ＵＥ４０２は、ＥＰＤＣＣＨ／ＰＤＳＣＨ復調のためにそのようなリソースの周りでレートマッチングする必要がない。
【００８３】
[0094]さらに、サブフレームが、ＤＭＴＣ内にあり、ＤＲＳサブフレームであるとき、ＰＳＳ／ＳＳＳとのＣＳＩリソースの衝突により、また、それらのリソースが、サブフレーム中の最後の２つのシンボル中にあるように構成された場合、ＵＥ４０２における不確実性があり得る。ＵＥ４０２は、周期ＣＳＩ−ＲＳ送信の一部としてのＣＳＩ−ＲＳ／ＣＳＩ−ＩＭリソースが現在サブフレーム中に存在するかどうかを決定するために、シグナリングを利用し得る。この情報は、そのサブフレームがＰＤＳＣＨを含んでいる場合、ＵＥ４０２におけるＥＰＤＣＣＨ／ＰＤＳＣＨレートマッチングのためにも使用され得る。ＵＥ４０２は、サブフレーム番号に整合しないことがあるＣＲＳスクランブリングとしてのシグナリングを受信し得る。
【００８４】
[0095]さらに、いくつかの態様では、異なるＣＳＩ−ＲＳが、ＣＱＩおよびＲＲＭ測定のためのチャネル推定のためのＤＲＳの一部として構成され得る。いくつかのシナリオでは、特に、ＤＲＳの一部としてのＣＳＩ−ＲＳがＤＭＴＣ内で浮動している場合、ＵＥ４０２のための１つまたは複数のＣＳＩ−ＲＳ構成間の衝突があり得る。ＤＲＳの一部としてのＣＳＩ−ＲＳ処理の構成および管理を可能にするために、ＤＲＳの一部としてのＣＳＩ−ＲＳは、ＬＡＡ  ＳＣｅｌｌについて制限され得る。
【００８５】
[0096]たとえば、ＤＲＳの一部としてのＣＳＩ−ＲＳ構成に関して、ＵＥ４０２および（たとえば、ネットワークエンティティ４０４の）サービングセルのために、ＲＲＭのためのＣＳＩ−ＲＳまたはＣＱＩのためのチャネル測定のためのＣＳＩ−ＲＳのうちの１つが、ＤＲＳの一部として構成され得る。代替的に、リソースの同じセットが、ＲＳＲＰのためのＣＳＩ−ＲＳとＣＱＩを計算するためのチャネル推定のためのＣＳＩ−ＲＳの両方について使用され得る。たとえば、ＣＱＩを計算するために構成されたリソースのサブセットが、ＣＳＩ−ＲＳベースのＲＲＭを計算するために使用され得る。
【００８６】
[0097]さらに、ＤＲＳの一部として構成されたＣＳＩ−ＲＳは、周期および非周期報告のためにＣＱＩを計算するために使用され得、したがって、ＤＲＳの一部としてのＣＳＩ−ＲＳのポートの構成は、周期ＣＳＩ−ＲＳ送信の一部としてのＣＳＩ−ＲＳのポートと同一であり（または少なくともそれに適合し）得る。ＵＥ４０２処理のために、ＣＳＩ−ＲＳ構成はいくつかの方法で制限され得る。たとえば、いくつかの態様では、ＤＲＳ中のＣＳＩのためのＣＳＩ−ＲＳと周期ＣＳＩ−ＲＳリソースの両方がＵＥ４０２のために構成された場合、それらのリソース構成は同一でなければならない。これは、周期ＣＳＩ−ＲＳリソースが、サブフレーム中の最後の２つのＯＦＤＭシンボル中で構成されないことがあることを暗示する。さらに、いくつかの態様では、ＤＲＳ中のＣＳＩのためのＣＳＩ−ＲＳと周期ＣＳＩ−ＲＳリソースの両方が、ＵＥ４０２のために構成され、それらの構成が同一でない場合、ＵＥ４０２は、ＤＭＴＣ内のＣＱＩのための周期ＣＳＩ−ＲＳを処理することが予想されないことがあり、ＣＱＩのためのＣＳＩ−ＲＳとＤＲＳ中のＣＳＩ−ＲＳの両方がＤＭＴＣ内で発生することがある場合、ＤＲＳの一部としてのＣＳＩ−ＲＳのみに依拠する。これを可能にし、ＤＭＴＣ中のＵＥ４０２におけるＣＳＩ処理負荷を低減するために、ＤＲＳ中のＣＳＩ−ＲＳは、チャネル測定のためにのみ、ならびにＤＭＴＣの最後のサブフレームから少なくとも４ｍｓ後に発生する周期および非周期報告のためにのみ使用され得る。
【００８７】
[0098]図５を参照すると、動作中、ＵＥ４０２（図４）などのＵＥは、ワイヤレス通信ネットワークにおける通信のための方法５００の一態様を実行し得る。説明を簡単にするために、本明細書の方法が一連の行為として図示および説明されるが、いくつかの行為は、１つまたは複数の態様によれば、本明細書で図示および説明される順序とは異なる順序で、および／または他の行為と同時に行われ得るので、方法は行為の順序によって限定されないことを理解し、諒解されたい。たとえば、方法は、状態図など、一連の相互に関係する状態またはイベントとして代替的に表現され得ることを諒解されたい。その上、本明細書で説明される１つまたは複数の特徴による方法を実装するために、図示のすべての行為が必要とされるとは限らない。
【００８８】
[0099]一態様では、ブロック５１０において、方法５００は、受信されたサブフレームにおいてＤＲＳを受信する。たとえば、本明細書で説明されるように、ＵＥ４０２（図４）は、受信されたサブフレームにおいてＤＲＳを受信するために、トランシーバ４２６（図４）を実行し得る。いくつかの態様では、ＤＲＳの送信されたサブフレームが知られていないことがある。一態様では、ブロック５２０において、方法５００は、発見ウィンドウに関する受信されたサブフレームの相対位置を決定する。たとえば、本明細書で説明されるように、ＵＥ４０２および／または基準信号識別構成要素４２０（図４）は、発見ウィンドウに関する受信されたサブフレームの相対位置を決定するために、相対位置決定構成要素４４０（図４）を実行し得る。一態様ではブロック５３０において、方法５００は、発見ウィンドウに関する受信されたサブフレームの相対位置に基づいて、複数のスクランブリングシーケンスからスクランブリングシーケンスを選択する。たとえば、本明細書で説明されるように、ＵＥ４０２および／または基準信号識別構成要素４２０は、発見ウィンドウに関する受信されたサブフレームの相対位置に基づいて、複数のスクランブリングシーケンスからスクランブリングシーケンスを選択するために、スクランブリングシーケンス選択構成要素４４２（図４）を実行し得る。
【００８９】
[00100]図６は、ワイヤレス通信ネットワークにおける通信のための別の方法６００を示す。一態様では、ブロック６１０において、方法６００は、受信されたサブフレームにおいてＣＲＳを受信し得る。たとえば、本明細書で説明されるように、ＵＥ４０２（図４）は、受信されたサブフレームにおいてＣＲＳを受信するために、トランシーバ４２６（図４）を実行し得る。いくつかの態様では、ＣＲＳの送信されたサブフレームが知られていないことがある。一態様では、ブロック６２０において、方法６００は、発見ウィンドウに関する受信されたサブフレームの相対位置を決定する。たとえば、本明細書で説明されるように、ＵＥ４０２および／または基準信号識別構成要素４２０（図４）は、発見ウィンドウに関する受信されたサブフレームの相対位置を決定するために、相対位置決定構成要素４４０を実行し得る。一態様ではブロック６３０において、方法６００は、発見ウィンドウに関する受信されたサブフレームの相対位置に基づいて、ＣＳＩリソースの存在を決定する。たとえば、本明細書で説明されるように、ＵＥ４０２および／または基準信号識別構成要素４２０は、発見ウィンドウに関する受信されたサブフレームの相対位置に基づいてＣＳＩリソースの存在を決定するために、チャネル状態決定構成要素４４４を実行し得る。
【００９０】
[00101]図７は、本開示の様々な態様による、無認可無線周波数スペクトル帯域上でネットワークエンティティによって行われるＤＲＳ送信７２５の例示的な図７００を示す。一態様では、ＤＲＳ送信７２５を行うネットワークエンティティは、図４を参照しながら説明された基準信号生成構成要素４７０を含むネットワークエンティティ４０４の態様の一例であり得る。例として、図７は、３つの隣接する発見期間７０５、７１０、７１５中で経時的にネットワークエンティティによって行われる経時的な送信を示す。発見期間７０５、７１０、７１５は、ＤＭＴＣに従って決定され得る。
【００９１】
[00102]発見ウィンドウ７３０は、動的ベースで、発見期間７０５、７１０、７１５の各々中で（たとえば、Ｎ個の発見期間ごとに１回（ここでＮ＞１））または１つまたは複数の発見期間７０５、７１０、７１５中で与えられ得る。発見ウィンドウ７３０の長さまたは持続時間は、図示されているものよりも短いかまたは長いことがある。たとえば、一態様では、発見ウィンドウ７３０は、１つの無線フレーム２０２（たとえば、１０ｍｓ）に時間的に等しくなり得る。一態様では、発見ウィンドウ７３０はＤＭＴＣウィンドウであり得る。
【００９２】
[00103]いくつかの態様では、ＤＲＳ送信７２５は、発見ウィンドウ７３０中にまたは発見ウィンドウ７３０の外部でネットワークエンティティによって送信され得る。いくつかの例では、送信された同期信号（ＰＳＳ／ＳＳＳ）は、セル発見、同期、および／または他の目的のために使用され得る。いくつかの例では、送信された同期信号は、ＰＳＳ、および／またはＳＳＳを含み得る。いくつかの態様では、ネットワークエンティティは、発見ウィンドウ７３０中にＤＲＳ送信７２５を送信することを試み得る。いくつかの事例では、ネットワークエンティティは、発見ウィンドウ７３０の外部で１つまたは複数のＤＲＳ送信７２５を送信し得る。
【００９３】
[00104]一態様では、各発見ウィンドウ７３０は、第１の部分７３１と第２の部分７３３とを含み得る。ＵＥ４０２は、発見ウィンドウ７３０の部分７３１、７３３のうちの１つ中に（または発見ウィンドウ７３０の外部で）ＤＲＳ送信７２５を受信し得る。一態様では、ＵＥ４０２は、ＤＲＳ送信７２５を含むサブフレームが、（たとえば、発見期間７０５に示されているように）第１の部分中で受信されたのか、（たとえば、発見期間７１０に示されているように）第２の部分中で受信されたのか、（たとえば、発見期間７１５に示されているように）発見ウィンドウ７３０の外部で受信されたのかを決定し得る。ＵＥ４０２は、受信されたサブフレームの相対位置に基づいてＤＲＳ送信７２５を処理するために、基準信号識別構成要素４２０を使用し得る。たとえば、ＵＥ４０２は、受信されたサブフレームの相対位置に基づいてスクランブリングシーケンスを選択し得る。一態様では、ＵＥ４０２はまた、サブフレームの相対位置に基づいて、サブフレームがＣＳＩ−ＲＳおよび／またはＣＳＩ−ＩＭ情報を含むかどうかを決定するように構成され得る。
【００９４】
[00105]図８は、各々、基準信号識別構成要素４２０を含む、１つまたは複数のアクセス端末と、各々、アクセス端末が無認可周波数スペクトル中でアクセスポイントから基準信号を受信することを可能にするように動作する基準信号生成構成要素４７０を有する、１つまたは複数のアクセスポイントとを含む、何人かのユーザをサポートするように構成されたワイヤレス通信システム８００を示す。一態様では、アクセス端末は、ネイバーセルから基準信号を受信し得、ネイバーセル測定を可能にするための構成および／またはスクランブリングのために基準信号を使用し得る。
【００９５】
[00106]システム８００は、たとえば、基準信号生成構成要素４７０（図４）を含むアクセスポイント１０６（図１）またはネットワークエンティティ４０４（図４）に対応し得る、対応するアクセスポイント８０４（たとえば、アクセスポイント８０４Ａ〜８０４Ｇ）によって各セルがサービスされる、マクロセル８０２Ａ〜８０２Ｇなど、複数のセル８０２のための通信を与える。図８に示されているように、基準信号識別構成要素４２０（図４）を含むアクセス端末１０２（図１）またはＵＥ４０２（図４）に対応し得るアクセス端末８０６（たとえば、アクセス端末８０６Ａ〜８０６Ｌ）は、時間とともにシステム全体にわたって様々なロケーションにおいて分散され得る。各アクセス端末１１０６は、たとえば、アクセス端末８０６がアクティブであるかどうか、およびアクセス端末８０６がソフトハンドオフ中であるかどうかに応じて、所与の瞬間において順方向リンク（ＦＬ）および／または逆方向リンク（ＲＬ）上で１つまたは複数のアクセスポイント１１０４と通信し得る。ワイヤレス通信システム８００は、大きい地理的領域にわたってサービスを提供し得る。たとえば、マクロセル８０２Ａ〜８０２Ｇは、近傍における数ブロックまたは地方環境における数マイルをカバーし得る。
【００９６】
[00107]図９は、本明細書で教示される動作をサポートするために、基準信号識別構成要素４２０（図４）を含むアクセス端末１０２（図１）またはＵＥ４０２（図４）に対応し得る装置９０２（たとえば、アクセス端末）と、それらの一方または両方が、基準信号生成構成要素４７０（図４）を含むネットワークエンティティ４０４に対応し得る、装置９０４および装置９０６（たとえば、それぞれアクセスポイント１０６（図１）およびネットワークエンティティ１１０（図１））とに組み込まれ得る、（対応するブロックによって表される）いくつかの例示的な構成要素を示す。これらの構成要素は、異なる実装形態では異なるタイプの装置において（たとえば、ＡＳＩＣ、ＳｏＣなどにおいて）実装され得ることを諒解されたい。説明される構成要素は、通信システム中の他の装置にも組み込まれ得る。たとえば、システム中の他の装置は、同様の機能を与えるために説明されるものと同様の構成要素を含み得る。また、所与の装置が、説明される構成要素のうちの１つまたは複数を含んでいることがある。たとえば、装置は、装置が複数のキャリア上で動作し、および／または異なる技術によって通信することを可能にする、複数のトランシーバ構成要素を含み得る。
【００９７】
[00108]図１０は、基準信号識別構成要素４２０を含む例示的な装置１００２中の異なる手段／構成要素間のデータフローを示す概念データフロー図１０００である。装置１００２はＵＥ、たとえば、図４中のＵＥ４０２であり得る。装置１００２は、一態様では、受信されたサブフレームにおいてＤＲＳを受信する、受信構成要素１００４を含む。さらに、いくつかの態様では、受信構成要素１００４は、受信されたサブフレームにおいてＣＲＳを受信し得る。いくつかの態様では、ＤＲＳまたはＣＲＳの一方または両方の送信されたサブフレームが知られていないことがある。装置１００２は、発見ウィンドウに関する受信されたサブフレームの相対位置を決定することと、発見ウィンドウに関する受信されたサブフレームの相対位置に基づいて、複数のスクランブリングシーケンスからスクランブリングシーケンスを選択することとを行う、基準信号識別構成要素４２０を含む。さらに、基準信号識別構成要素４２０は、発見ウィンドウに関する受信されたサブフレームの相対位置を決定することと、発見ウィンドウに関する受信されたサブフレームの相対位置に基づいて、チャネル状態情報（ＣＳＩ）リソースの存在を決定することとを行い得る。一態様では、装置１００２は、１つまたは複数の信号を１つまたは複数の基地局のうちの少なくとも１つに送信する送信構成要素１０１２をさらに含む。
【００９８】
[00109]本装置は、図１０の上述のフローチャート中のアルゴリズムのブロックの各々を実行する追加の構成要素を含み得る。したがって、図１０の上述のフローチャート中の各ブロックは、１つの構成要素によって実行され得、本装置は、それらの構成要素のうちの１つまたは複数を含み得る。構成要素は、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００９９】
[00110]図１１は、基準信号識別構成要素４２０を含む処理システム１１１４を採用する装置１００２’のためのハードウェア実装形態の一例を示す図１１００である。処理システム１１１４は、バス１１２４によって概略的に表されるバスアーキテクチャを用いて実装され得る。バス１１２４は、処理システム１１１４の特定の適用例および全体的な設計制約に応じて、任意の数の相互接続バスおよびブリッジを含み得る。バス１１２４は、（１つまたは複数の）プロセッサ４２４（図４）と同じまたは同様であり得るプロセッサ１１０４によって表される１つまたは複数のプロセッサおよび／またはハードウェア構成要素と、構成要素１００４、１０１２と、メモリ４２２（図４）と同じまたは同様であり得るコンピュータ可読媒体／メモリ１１０６とを含む様々な回路を互いにリンクする。バス１１２４はまた、タイミングソース、周辺機器、電圧調節器、および電力管理回路など、様々な他の回路をリンクし得るが、これらの回路は当技術分野においてよく知られており、したがって、これ以上説明されない。
【０１００】
[00111]処理システム１１１４はトランシーバ１１１０に結合され得る。トランシーバ１１１０は１つまたは複数のアンテナ１１２０に結合される。トランシーバ１１１０は、伝送媒体を介して様々な他の装置と通信するための手段を与える。トランシーバ１１１０は、１つまたは複数のアンテナ１１２０から信号を受信し、受信された信号から情報を抽出し、抽出された情報を処理システム１１１４、特に受信構成要素１００４に与える。さらに、トランシーバ１１１０は、処理システム１１１４、特に送信構成要素１１１２から情報を受信し、受信された情報に基づいて、１つまたは複数のアンテナ１１２０に適用されるべき信号を生成する。処理システム１１１４は、コンピュータ可読媒体／メモリ１１０６に結合されたプロセッサ１１０４を含む。プロセッサ１１０４は、コンピュータ可読媒体／メモリ１１０６に記憶されたソフトウェアの実行を含む一般的な処理を担当する。ソフトウェアは、プロセッサ１１０４によって実行されたとき、処理システム１１１４に、特定の装置のための上記で説明された様々な機能を実行させる。コンピュータ可読媒体／メモリ１１０６はまた、ソフトウェアを実行するときにプロセッサ１１０４によって操作されるデータを記憶するために使用され得る。処理システム１１１４は、構成要素１００４、１０１０、および１０１２のうちの少なくとも１つをさらに含む。それらの構成要素は、プロセッサ１１０４中で動作し、コンピュータ可読媒体／メモリ１１０６中に常駐する／記憶されたソフトウェア構成要素であるか、プロセッサ１１０４に結合された１つまたは複数のハードウェア構成要素であるか、またはそれらの何らかの組合せであり得る。
【０１０１】
[00112]一構成では、ワイヤレス通信のための装置１１０２／１００２’は、ＵＥによって、受信されたサブフレームにおいてＤＲＳを受信するための手段を含み、ここで、ＤＲＳの送信されたサブフレームは知られていない。本装置は、発見ウィンドウに関する受信されたサブフレームの相対位置を決定するための手段をさらに含む。さらに、本装置は、発見ウィンドウに関する受信されたサブフレームの相対位置に基づいて、複数のスクランブリングシーケンスからスクランブリングシーケンスを選択するための手段を含む。
【０１０２】
[00113]別の構成では、ワイヤレス通信のための装置１１０２／１００２’は、ＵＥによって、受信されたサブフレームにおいてＣＲＳを受信するための手段を含み、ここで、ＣＲＳの送信されたサブフレームは知られていない。本装置は、発見ウィンドウに関する受信されたサブフレームの相対位置を決定するための手段をさらに含む。さらに、本装置は、発見ウィンドウに関する受信されたサブフレームの相対位置に基づいて、チャネル状態情報（ＣＳＩ）リソースの存在を決定するための手段を含む。
【０１０３】
[00114]上述の手段は、上述の手段によって具陳された機能を実行するように構成された、装置１１０２、および／または装置１００２’の処理システム１１１４の上述の構成要素のうちの１つまたは複数であり得る。いくつかの態様では、処理システム１１１４は、ＴＸプロセッサ２６８（図２）と、ＲＸプロセッサ２５６（図２）と、コントローラ／プロセッサ２５９（図２）とを含み得る。したがって、一構成では、上述の手段は、上述の手段によって具陳された機能を実行するように構成された、ＴＸプロセッサ２６８（図２）と、ＲＸプロセッサ２５６（図２）と、コントローラ／プロセッサ２５９（図２）とであり得る。
【０１０４】
[00115]開示されるプロセスにおけるステップの特定の順序または階層は、例示的な手法の一例であることを理解されたい。設計選好に基づいて、プロセスにおけるステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【０１０５】
[00116]いくつかの態様では、装置または装置の構成要素は、本明細書で教示される機能を与えるように構成され得る（またはそのように動作可能であるかまたは適応され得る）。これは、たとえば、その機能を与えるように装置または構成要素を製造する（たとえば、作製する）ことによって、その機能を与えるように装置または構成要素をプログラムすることによって、あるいは何らかの他の好適な実装技法の使用によって、達成され得る。一例として、集積回路は、必須の機能を与えるために作製され得る。別の例として、集積回路は、必須の機能をサポートするために作製され、次いで、必須の機能を与えるように（たとえば、プログラミングによって）構成され得る。また別の例として、プロセッサ回路は、必須の機能を与えるためのコードを実行し得る。
【０１０６】
[00117]本明細書における「第１」、「第２」などの名称を使用した要素への言及は、それらの要素の数量または順序を概括的に限定するものでないことを理解されたい。むしろ、これらの名称は、本明細書において２つまたはそれ以上の要素またはある要素の複数の事例を区別する便利な方法として使用され得る。したがって、第１および第２の要素への言及は、そこで２つの要素のみが採用され得ること、または第１の要素が何らかの方法で第２の要素に先行しなければならないことを意味しない。また、別段に記載されていない限り、要素のセットは１つまたは複数の要素を備え得る。さらに、明細書または特許請求の範囲において使用される「Ａ、Ｂ、またはＣのうちの少なくとも１つ」または「Ａ、Ｂ、またはＣのうちの１つまたは複数」または「Ａ、Ｂ、およびＣからなるグループのうちの少なくとも１つ」という形式の用語は、「ＡまたはＢまたはＣあるいはこれらの要素の任意の組合せ」を意味する。たとえば、この用語は、Ａ、またはＢ、またはＣ、またはＡおよびＢ、またはＡおよびＣ、またはＡおよびＢおよびＣ、または２Ａ、または２Ｂ、または２Ｃなどを含み得る。
【０１０７】
[00118]情報および信号は、多種多様な技術および技法のいずれかを使用して表され得ることを、当業者は諒解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０８】
[00119]さらに、本明細書で開示される態様に関して説明された様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップが、上記では概してそれらの機能に関して説明された。そのような機能がハードウェアとして実装されるか、ソフトウェアとして実装されるかは、特定の適用例および全体的なシステムに課される設計制約に依存する。当業者は、説明された機能を特定の適用例ごとに様々な方法で実装し得るが、そのような実装の決定は、本開示の範囲からの逸脱を生じるものと解釈されるべきではない。
【０１０９】
[00120]本明細書で開示される態様に関して説明された方法、シーケンスおよび／またはアルゴリズムは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。
【０１１０】
[00121]したがって、本開示の一態様は、無認可周波数帯域中の通信のための第１の構成に少なくとも部分的に基づいて、トラフィックのためのフレーム持続時間中のサブフレームの第１のセットをスケジュールすることと、第１の構成に少なくとも部分的に基づいて、無認可周波数帯域の１次ユーザの検出（たとえば、レーダー検出）のためにフレーム持続時間中のサブフレームの第２のセットをスケジューリングすることと、通信のための第２の構成に基づいて、サブフレームの第１および第２のセット中のいくつかのサブフレームを調整することと、ここにおいて、通信のための第２の構成は、１次ユーザのタイプ（たとえば、レーダータイプ）が検出されたことに基づいて識別される、を行うための方法を具現化するコンピュータ可読媒体を含むことができる。したがって、本開示は図示の例に限定されない。
【０１１１】
[00122]上記の開示は、例示的な態様を示すが、様々な変更および修正が、添付の特許請求の範囲によって定義される本開示の範囲から逸脱することなく本明細書において作成可能であることに留意されたい。本明細書で説明された本開示の態様による方法クレームの機能、ステップおよび／またはアクションは、特定の順序で実行されなくてもよい。さらに、いくつかの態様は、単数形で説明または請求されていることがあるが、単数形への限定が明示的に述べられていない限り、複数形が企図される。
以下に、本願の出願当初の特許請求の範囲に記載された発明を付記する。
［Ｃ１］
ワイヤレス通信ネットワークにおける通信の方法であって、
ユーザ機器（ＵＥ）によって、受信されたサブフレームにおいて発見基準信号（ＤＲＳ）を受信することと、ここにおいて、前記ＤＲＳの送信されたサブフレームが知られていない、
発見ウィンドウに関する前記受信されたサブフレームの相対位置を決定することと、  前記発見ウィンドウに関する前記受信されたサブフレームの前記相対位置に基づいて、複数のスクランブリングシーケンスからスクランブリングシーケンスを選択することとを備える、方法。
［Ｃ２］
前記発見ウィンドウに関する前記受信されたサブフレームの前記相対位置を決定することは、
前記ＤＲＳの相対位置が、前記発見ウィンドウ内のサブフレーム０、１、２、３、または４のうちのいずれかを備えると決定すること
を備え、
ここにおいて、前記スクランブリングシーケンスを選択することが、サブフレーム０に対応する前記複数のスクランブリングシーケンスのうちの１つを選択することを備える、Ｃ１に記載の方法。
［Ｃ３］
前記発見ウィンドウに関する前記受信されたサブフレームの前記相対位置を決定することは、
前記ＤＲＳの相対位置が、前記発見ウィンドウ内のサブフレーム５、６、７、８、または９のうちのいずれかを備えると決定すること
を備え、
ここにおいて、前記スクランブリングシーケンスを選択することが、サブフレーム５に対応する前記複数のスクランブリングシーケンスのうちの１つを選択することを備える、Ｃ１に記載の方法。
［Ｃ４］
前記発見ウィンドウに関する前記受信されたサブフレームの前記相対位置を決定することは、
前記受信されたサブフレームにおける前記ＤＲＳの相対位置が、前記発見ウィンドウ内のサブフレーム０、１、２、３、４、６、７、８、９のうちのいずれかを備えると決定すること
を備え、
ここにおいて、前記スクランブリングシーケンスを選択することが、サブフレーム０に対応する前記複数のスクランブリングシーケンスのうちの１つを選択することを備える、Ｃ１に記載の方法。
［Ｃ５］
前記ＤＲＳが、
１次同期信号（ＰＳＳ）、または
２次同期信号（ＳＳＳ）
のうちの少なくとも１つを備える、Ｃ１に記載の方法。
［Ｃ６］
前記発見ウィンドウに関する前記受信されたサブフレームの前記相対位置を決定することは、
前記ＤＲＳの相対位置が、前記発見ウィンドウの外部のサブフレームを備えると決定すること
を備え、
ここにおいて、前記スクランブリングシーケンスを前記選択することが、サブフレーム０またはサブフレーム５のうちの１つに対応する前記複数のスクランブリングシーケンスのうちの１つを選択することを備える、
Ｃ１に記載の方法。
［Ｃ７］
前記ＤＲＳがセル固有基準信号（ＣＲＳ）を備えるかどうかを決定することと、
前記ＤＲＳが前記ＣＲＳを備えると決定することに基づいて、および前記選択されたスクランブリングシーケンスに基づいて、前記ＣＲＳのスクランブリングを決定することとをさらに備える、Ｃ１に記載の方法。
［Ｃ８］
ワイヤレス通信ネットワークにおける通信の方法であって、
ユーザ機器（ＵＥ）によって、受信されたサブフレームにおいてセル固有基準信号（ＣＲＳ）を受信することと、ここにおいて、前記ＣＲＳの送信されたサブフレームが知られていない、
発見ウィンドウに関する前記受信されたサブフレームの相対位置を決定することと、  前記発見ウィンドウに関する前記受信されたサブフレームの前記相対位置に基づいて、チャネル状態情報（ＣＳＩ）リソースの存在を決定することと
を備える、方法。
［Ｃ９］
前記ＣＳＩリソースが存在すると決定することに基づいて、
無線リソース管理（ＲＲＭ）測定、または
チャネル品質インジケータ（ＣＱＩ）のためのチャネル測定
のうちの１つのために前記ＣＳＩリソースを処理すること
をさらに備える、Ｃ８に記載の方法。
［Ｃ１０］
前記ＣＳＩリソースが、
ＣＳＩ基準信号（ＣＳＩ−ＲＳ）情報、または
ＣＳＩ干渉管理（ＣＳＩ−ＩＭ）情報
のうちの少なくとも１つを含む、Ｃ８に記載の方法。
［Ｃ１１］
前記受信されたサブフレームの前記相対位置を決定することは、前記受信されたサブフレームが前記発見ウィンドウの外部にあると決定することを備え、前記方法は、
前記受信されたサブフレームが全サブフレームを備えるのか、終了部分サブフレームを備えるのか、初期部分サブフレームを備えるのかを決定すること、ここにおいて、前記ＣＳＩリソースの前記存在を決定することは、前記受信されたサブフレームが前記全サブフレームを備えるのか、前記終了部分サブフレームを備えるのか、前記初期部分サブフレームを備えるのかに基づく、
をさらに備える、Ｃ１０に記載の方法。
［Ｃ１２］
サブフレーム内の前記ＣＳＩ−ＲＳ情報およびＣＳＩ−ＩＭ情報の時間および周波数ロケーションが、前記部分サブフレームの構成またはタイプに依存する、Ｃ１１に記載の方法。
［Ｃ１３］
前記受信されたサブフレームの前記相対位置を決定することは、前記受信されたサブフレームが前記発見ウィンドウの内部にあると決定することを備え、前記方法は、
前記受信されたサブフレームが発見基準信号（ＤＲＳ）サブフレームを備えるかどうかを決定すること、ここにおいて、ＣＳＩリソースの前記存在を決定することは、前記受信されたサブフレームが前記ＤＲＳサブフレームを備えるかどうかにさらに基づく、
をさらに備える、Ｃ１０に記載の方法。
［Ｃ１４］
前記ＵＥにおいて、前記ＤＲＳの一部としての前記ＣＳＩ−ＲＳ情報の構成に基づいて、ＤＲＳ測定タイミング構成（ＤＭＴＣ）ウィンドウ内に存在する前記ＣＳＩリソースのうちの１つを監視することをさらに備える、Ｃ１３に記載の方法。
［Ｃ１５］
前記ＵＥにおいて、前記ＤＲＳの一部としての前記ＣＳＩ−ＲＳ情報の構成に基づいて、前記ＤＲＳサブフレーム内に存在する前記ＣＳＩリソースのうちの１つを監視することをさらに備える、Ｃ１３に記載の方法。
［Ｃ１６］
周期ＣＱＩ要求および非周期ＣＱＩ要求の報告およびＣＳＩ処理のためのタイミング緩和を受信することをさらに備える、Ｃ１３に記載の方法。
［Ｃ１７］
ＰＵＳＣＨリソースまたはＰＵＣＣＨリソースのうちの少なくとも１つが、前記ＤＲＳ中に存在する前記ＣＳＩリソースのＣＳＩ処理に基づいて、前記ＣＳＩリソースを報告するための前記タイミング緩和を用いて構成された、Ｃ１６に記載の方法。
［Ｃ１８］
前記構成されたＰＵＳＣＨリソースまたはＰＵＣＣＨリソースのうちの少なくとも１つが、ＲＲＣシグナリングを介してまたは前記非周期ＣＳＩ要求を搬送するアップリンク許可の一部として受信される、Ｃ１７に記載の方法。
［Ｃ１９］
ワイヤレス通信ネットワークにおける通信のための装置であって、
メモリと、
受信されたサブフレームにおいて発見基準信号（ＤＲＳ）を受信するように構成されたトランシーバと、ここにおいて、前記ＤＲＳの送信されたサブフレームが知られていない、
前記トランシーバおよび前記メモリに結合されたプロセッサと
を備え、前記プロセッサが、
発見ウィンドウに関する前記受信されたサブフレームの相対位置を決定することと、    前記発見ウィンドウに関する前記受信されたサブフレームの前記相対位置に基づいて、複数のスクランブリングシーケンスからスクランブリングシーケンスを選択することとを行うように構成された、
装置。
［Ｃ２０］
前記発見ウィンドウに関する前記受信されたサブフレームの前記相対位置を決定するために、前記プロセッサは、
前記ＤＲＳの相対位置が、前記発見ウィンドウ内のサブフレーム０、１、２、３、または４のうちのいずれかを備えると決定すること
を行うようにさらに構成され、
ここにおいて、前記スクランブリングシーケンスを選択するために、前記プロセッサが、サブフレーム０に対応する前記複数のスクランブリングシーケンスのうちの１つを選択するようにさらに構成された、
Ｃ１９に記載の装置。
［Ｃ２１］
前記発見ウィンドウに関する前記受信されたサブフレームの前記相対位置を決定するために、前記プロセッサは、
前記ＤＲＳの相対位置が、前記発見ウィンドウ内のサブフレーム５、６、７、８、または９のうちのいずれかを備えると決定すること
を行うようにさらに構成され、
ここにおいて、前記スクランブリングシーケンスを選択するために、前記プロセッサが、サブフレーム５に対応する前記複数のスクランブリングシーケンスのうちの１つを選択するようにさらに構成された、
Ｃ１９に記載の装置。
［Ｃ２２］
前記発見ウィンドウに関する前記受信されたサブフレームの前記相対位置を決定するために、前記プロセッサは、
前記受信されたサブフレームにおける前記ＤＲＳの相対位置が、前記発見ウィンドウ内のサブフレーム０、１、２、３、４、６、７、８、９のうちのいずれかを備えると決定すること
を行うようにさらに構成され、
ここにおいて、前記スクランブリングシーケンスを選択する、前記プロセッサが、サブフレーム０に対応する前記複数のスクランブリングシーケンスのうちの１つを選択するようにさらに構成された、
Ｃ１９に記載の装置。
［Ｃ２３］
前記ＤＲＳが、
１次同期信号（ＰＳＳ）、または
２次同期信号（ＳＳＳ）
のうちの少なくとも１つを備える、Ｃ１９に記載の装置。
［Ｃ２４］
前記発見ウィンドウに関する前記受信されたサブフレームの前記相対位置を決定するために、前記プロセッサは、
前記ＤＲＳの相対位置が、前記発見ウィンドウの外部のサブフレームを備えると決定すること
を行うようにさらに構成され、
ここにおいて、前記スクランブリングシーケンスを前記選択することが、サブフレーム０またはサブフレーム５のうちの１つに対応する前記複数のスクランブリングシーケンスのうちの１つを選択することを備える、
Ｃ１９に記載の装置。
［Ｃ２５］
ワイヤレス通信ネットワークにおける通信のための装置であって、前記方法は、
メモリと、
受信されたサブフレームにおいてセル固有基準信号（ＣＲＳ）を受信するように構成されたトランシーバと、ここにおいて、前記ＣＲＳの送信されたサブフレームが知られていない、
前記トランシーバおよび前記メモリに結合されたプロセッサと
を備え、前記プロセッサが、
発見ウィンドウに関する前記受信されたサブフレームの相対位置を決定することと、    前記発見ウィンドウに関する前記受信されたサブフレームの前記相対位置に基づいて、チャネル状態情報（ＣＳＩ）リソースの存在を決定することと
を行うように構成された、
装置。
［Ｃ２６］
前記プロセッサが、
前記ＣＳＩリソースが存在すると決定することに基づいて、
無線リソース管理（ＲＲＭ）測定、または
チャネル品質インジケータ（ＣＱＩ）のためのチャネル測定
のうちの１つのために前記ＣＳＩリソースを処理すること
を行うようにさらに構成された、Ｃ２５に記載の装置。
［Ｃ２７］
前記ＣＳＩリソースが、
ＣＳＩ基準信号（ＣＳＩ−ＲＳ）情報、または
ＣＳＩ干渉管理（ＣＳＩ−ＩＭ）情報
のうちの少なくとも１つを含む、Ｃ２５に記載の装置。
［Ｃ２８］
前記受信されたサブフレームの前記相対位置を決定するために、前記プロセッサは、前記受信されたサブフレームが前記発見ウィンドウの外部にあると決定するようにさらに構成され、ここにおいて、前記プロセッサは、
前記受信されたサブフレームが全サブフレームを備えるのか、終了部分サブフレームを備えるのか、初期部分サブフレームを備えるのかを決定すること、ここにおいて、前記ＣＳＩリソースの前記存在を決定することは、前記受信されたサブフレームが前記全サブフレームを備えるのか、前記終了部分サブフレームを備えるのか、前記初期部分サブフレームを備えるのかに基づく、
を行うようにさらに構成された、Ｃ２７に記載の装置。
［Ｃ２９］
サブフレーム内の前記ＣＳＩ−ＲＳ情報およびＣＳＩ−ＩＭ情報の時間および周波数ロケーションが、前記部分サブフレームの構成またはタイプに依存する、Ｃ２８に記載の装置。
［Ｃ３０］
前記受信されたサブフレームの前記相対位置を決定するために、前記プロセッサは、前記受信されたサブフレームが前記発見ウィンドウの内部にあると決定するようにさらに構成され、ここにおいて、前記プロセッサは、
前記受信されたサブフレームが発見基準信号（ＤＲＳ）サブフレームを備えるかどうかを決定すること、ここにおいて、ＣＳＩリソースの前記存在を決定することは、前記受信されたサブフレームが前記ＤＲＳサブフレームを備えるかどうかにさらに基づく、
を行うようにさらに構成された、Ｃ２７に記載の装置。
【図１】
0006790105.tif 000002
【図２】
0006790105.tif 000003
【図３Ａ】
0006790105.tif 000004
【図３Ｂ】
0006790105.tif 000005
【図４】
0006790105.tif 000006
【図５】
0006790105.tif 000007
【図６】
0006790105.tif 000008
【図７】
0006790105.tif 000009
【図８】
0006790105.tif 000010
【図９】
0006790105.tif 000011
【図１０】
0006790105.tif 000012
【図１１】
0006790105.tif 000013